(57)【要約】【課題】破断ネジを用いた遊技機において、破断ネジの分離部の処理に手間や時間を要することがなく、分離部が遊技機内の隙間から入り込んで不具合を生じるといったことも防止することが可能な遊技機を提供すること。【解決手段】ドライバＤＲ１が係合されるネジ穴を有し締結に必要なトルクよりさらに大きいトルクで回転させると破断して分離し得る部位である分離部６１３が頭部に形成された破断ネジ４３９によって、２点の構成部材４３２、４５０が連結された構成において、破断ネジ４３９が磁性体よりなり、分離した分離部６１３を磁力により遊技機の所定箇所（収容部材６２１内）に保持する磁気手段として、永久磁石よりなる磁界発生部６２６を備える構成とする。【選択図】      図３０
2010042051.tif 000002
【特許請求の範囲】
【請求項１】
回転操作を行うための操作器具が係合される係合部を有し締結に必要なトルクよりさらに大きいトルクで回転させると破断して分離し得る部位である分離部が頭部に形成されたネジによって、２以上の構成部材が連結された遊技機であって、
前記ネジが磁性体よりなり、
分離した前記分離部を磁力により遊技機の所定箇所に保持する磁気手段を備えることを特徴とする遊技機。
【請求項２】
前記破断ネジの締結位置は、前記磁気手段が磁力を及ぼし得る範囲内に配置されている、請求項１に記載の遊技機。
【請求項３】
前記構成部材としての第１ケースと第２ケースとの間に制御基板を収容した構成を有する基板ボックスを備え、
前記基板ボックスの一側部分が、外部との電波の送受信が可能に構成されたシールを貼付することにより封印され、
前記基板ボックスの他側部分に、前記磁気手段が配置されている、請求項１または２に記載の遊技機。
【請求項４】
一方向の幅が他に比べて大きい形状を有する基板ボックスを遊技盤の裏面側に沿って備え、
前記基板ボックスの長さ方向における中央部または当該中央部より一方側に位置する部位のうちいずれかに対応する前方位置に所定の入球口の入球検出センサが配置され、
前記入球検出センサが前記中央部に対応する位置に配置される場合においては前記基板ボックスの長さ方向における少なくともいずれかの端部に、前記入球検出センサが前記一方側に位置する部位に対応する位置に配置される場合においては前記基板ボックスの長さ方向における他方の端部に、前記磁気手段が配置される、請求項１から３のいずれかに記載の遊技機。
【請求項５】
前記破断ネジにおける頭部を少なくとも前記操作器具によって操作される側から覆う壁を有するとともに前記分離部が通過し得ず前記操作器具を挿通し得る操作孔を有する規制手段を備え、
前記磁気手段は、分離した後の分離部を、破断ネジの頭部における軸部側に残留した部分と前記規制手段における操作孔との間の位置に保持する、請求項１から４のいずれかに記載の遊技機。
【請求項６】
前記破断ネジが永久磁石よりなり、
前記破断ネジの頭部が破断されることにより該破断ネジの頭部本体と分離部とが分離された場合に、前記頭部本体が磁気手段として機能する、請求項１から５のいずれかに記載の遊技機。
【発明の詳細な説明】
【技術分野】
【０００１】
本発明は、パチンコ機やスロットマシンに代表される遊技機に関するものである。
【背景技術】
【０００２】
パチンコ球を使用するパチンコ機等の遊技機においては、不正な利益を得ることを目的として、例えば、遊技を統括制御する主制御基板等の制御基板を不正に取り外して当該基板内のＲＯＭ（ＣＰＵやＲＯＭが１チップ化されている場合は当該チップ）を交換し遊技内容を変更するといった不正行為がなされることがある。
【０００３】
このため、制御基板を収容した基板ボックスを、破断ネジと称される特殊なネジを用いて閉塞したり、あるいは基板ボックスをこの破断ネジで所定位置に取り付けたりするようにし、これにより不正行為を防止することがなされている。破断ネジは、頭部の中間部に小径の破断部が形成された構成を有し、ドライバでネジ孔に螺入して締結した後、さらに大きいトルクで回転させると、破断部より先端側の、ドライバを嵌入するネジ穴を有する部分が破断して分離し、したがって以降はネジを逆回しして緩めることができなくなるようになっている。上記基板ボックスの閉塞や取付にこの破断ネジを用いることにより、基板ボックスを開封することや取り外すことを困難とすることができ、したがって効果的に不正行為を防止することができる。
【０００４】
上記のような破断ネジを用いた遊技機としては、例えば、以下の文献に記載のものが挙げられる。
【特許文献１】特開２００７−２５２８０２号公報
【発明の開示】
【発明が解決しようとする課題】
【０００５】
しかしながら、上記のような破断ネジを用いて部材の取付等を行うと、分離した部分がゴミとなってその処理に手間や時間がかかるという問題があった。また、この分離部分が遊技機内の隙間から入り込み、遊技球通路内の球詰まりや電気部品のショートといった不具合を生じる原因となるという問題があった。
【０００６】
本発明は、かかる問題点に鑑みて案出されたものであり、破断ネジを用いた遊技機において、破断ネジの分離部の処理に手間や時間を要することがなく、分離部が遊技機内の隙間から入り込んで不具合を生じるといったことも防止することが可能な遊技機を提供することを目的とする。
【課題を解決するための手段】
【０００７】
本発明にかかる遊技機は、上記目的を達成するために、手段１として、
回転操作を行うための操作器具が係合される係合部を有し締結に必要なトルクよりさらに大きいトルクで回転させると破断して分離し得る部位である分離部が頭部に形成されたネジ（以下、破断ネジと称す）によって、２以上の構成部材が連結された遊技機であって、
前記破断ネジが磁性体よりなり、
分離した前記分離部を磁力により遊技機の所定箇所に保持する磁気手段を備えることを特徴とする。
【０００８】
本発明において、「２以上の構成部材を連結する」とは、遊技機を構成する任意の部材同士を連結することを含意し、例えば、第１ケースと第２ケースとの間に制御基板を収容した構成を有する基板ボックスの該第１ケースと第２ケースとを連結して該基板ボックスを閉塞することや、基板ボックスや制御基板自体をベース（取付台座）部材に連結して所定位置に固定すること等がいずれも含まれる。
【０００９】
また、「磁性体」は、常磁性体も含意するが望ましくは強磁性体である。
【００１０】
なお、磁気手段は遊技機に対して固定的に設けられることが好ましい。磁気手段が可動に設けられていると、磁気手段の動きにより破断ネジの分離部が磁気手段から外れやすくなるのに対し、磁気手段を遊技機に対して固定的に設けることにより、保持された分離部が磁気手段から外れることが防止される。
【００１１】
上記手段１の構成によれば、破断ネジを用いて遊技機の構成部材同士を連結した際に分離部を分離させても、該分離部は磁気手段により所定箇所に保持しておくことができ、したがってゴミとならず、処理する手間を省くことができるとともに、遊技機内の隙間から入り込むこともないため、不具合が生じることも防止することができる。
【００１２】
また、本発明にかかる遊技機は、手段２として、手段１の遊技機において、
前記破断ネジの締結位置は、前記磁気手段が磁力を及ぼし得る範囲内に配置されていることを特徴とする。
【００１３】
磁気手段は、例えば、破断ネジの締結位置からやや離隔した所定箇所に配置しておき、破断ネジから分離した後の分離部をこの磁気手段のところへ持っていって磁力により保持しておくようにしても、該分離部を所定箇所に保持しておくことができる以上、該分離部をゴミとせず、また遊技機内の隙間から入り込むこともないようにすることができる点で、磁気手段として所要の機能を果たすことができると考えられるが、上記手段２のように、破断ネジの締結位置が、磁気手段が磁力を及ぼし得る範囲内に配置される構成とすれば、分離部が分離した後ただちに磁気手段に保持されるため、該分離部をこの磁気手段のところへ持っていく手間も不要となって作業がより容易となり、また磁気手段のところへ持っていくまでに誤って落としたりすることもないことから、より確実に所定箇所に保持するようにすることができる。
【００１４】
また、本発明にかかる遊技機は、手段３として、手段１または手段２の遊技機において、
前記構成部材としての第１ケースと第２ケースとの間に制御基板を収容した構成を有する基板ボックスを備え、
前記基板ボックスの一側部分が、外部との電波の送受信が可能に構成されたシールを貼付することにより封印され、
前記基板ボックスの他側部分に、前記磁気手段が配置されていることを特徴とする。
【００１５】
本発明において、基板ボックスの「一側部分」と「他側部分」とは、基板ボックスにおいて相対向する互いに離れた部位を意味し、例えば正面視方形状の基板ボックスの場合、左右方向に離れた部位や、上下方向に離れた部位、対角方向に離れた部位等をいずれも含意する。さらに、基板ボックスの「表側部分」と「裏側部分」も含意するが、この場合、当該表側部分と裏側部分とが互いに離れていることが望ましい。
【００１６】
また、「基板ボックスをシールを貼付することにより封印する」とは、破壊、変色等の痕跡をなんら残さずに、もしくは電波の送受信機能をなんら損なわずにシールを剥がすことによっては、基板ボックスを開封することが不可能な状態とすること、即ち基板ボックスを開封するにはシールの少なくとも一部に破壊、変色等の痕跡を残すこと、もしくは電波の送受信機能を損なうことが必要な状態とすることを意味する。
【００１７】
外部との電波の送受信が可能に構成されたシールは、基板ボックスに貼付しておくようにすることにより、基板ボックスを不正に開封すべくこのシールを剥がすと電波送受信機能が破壊されて、制御基板に対して不正が行われたことを発見することができるようにしたものであり、例えば特開２００６−３２６２８１号公報にも開示されている（以下、このようなシールを封印シールとも称す）。上記手段３の構成においては、基板ボックスを構成する第１ケースと第２ケースとを連結して該基板ボックスを閉塞するのに破断ネジが使用されるとともに、該基板ボックスが上記封印シールを貼付することにより封印された構成となっているが、ここで仮に、破断ネジの分離部を保持する磁気手段と上記封印シールとが互いに近接して配置されていると、磁気手段の磁力による影響が封印シールに及んで電波の送受信が阻害され、その結果、不正行為の有無を正しく検知することができなくなると考えられる。これに対し、上記手段３では、磁気手段と封印シールとが、基板ボックスにおいて相対向する互いに離れた部位にそれぞれ配置されているため、磁気手段の磁力による影響が封印シールに及び難く、したがって電波の送受信が磁力により阻害されることなく封印シールが正確に作動することができる。
【００１８】
また、本発明にかかる遊技機は、手段４として、手段１から手段３のいずれかの遊技機において、
一方向の幅が他に比べて大きい形状を有する基板ボックスを遊技盤の裏面側に沿って備え、
前記基板ボックスの長さ方向における中央部または当該中央部より一方側に位置する部位のうちいずれかに対応する前方位置に所定の入球口の入球検出センサが配置され、
前記入球検出センサが前記中央部に対応する位置に配置される場合においては前記基板ボックスの長さ方向における少なくともいずれかの端部に、前記入球検出センサが前記一方側に位置する部位に対応する位置に配置される場合においては前記基板ボックスの長さ方向における他方の端部に、前記磁気手段が配置されることを特徴とする。
【００１９】
基板ボックスは、通常、収容する制御基板の形状に対応して、概略平板状の直方体形状を有する箱体となっており、例えば主制御基板を収容する基板ボックスの場合、正面視概略横長の長方形状の箱体となっていて、いわゆる板替えなどを考慮して遊技盤の裏面側に配置される。さらに主制御基板と入球検出センサとは、配線をし易くするなどの理由から前後方向に重なるように配置されることも多い。ここで、例えば、基板ボックスの長辺部すなわち上端縁部または下端縁部を破断ネジを用いて封止する構成とすることも可能であるが、この場合、破断ネジの近傍に磁気手段が配置されると、入球検出センサと磁気手段とが比較的に近接し、磁気手段の磁力が該入球検出センサに悪影響を及ぼすこととなりやすい。これに対し、上記手段４の構成によれば、基板ボックスの長さ方向において入球検出センサからできる限り離れた位置となる端部に磁気手段が配置されることにより、所定の入球口の入球検出センサと磁気手段とが大きく離隔することとなって磁気手段の磁力による影響が該入球検出センサに及び難くなる。
【００２０】
また、本発明にかかる遊技機は、手段５として、手段１から手段４のいずれかの遊技機において、
前記破断ネジにおける頭部を少なくとも前記操作器具によって操作される側から覆う壁を有するとともに前記分離部が通過し得ず前記操作器具を挿通し得る操作孔を有する規制手段を備え、
前記磁気手段は、分離した後の分離部を、破断ネジの頭部における軸部側に残留した部分（以下、頭部本体と称す）と前記規制手段における操作孔との間の位置に保持することを特徴とする。
【００２１】
上記手段５の構成によれば、分離した後の分離部が、規制手段により覆われた状態となり且つ磁気手段による磁力をも受けるため、より確実に保持されて脱落防止効果が向上する。
また、分離部が分離した後の破断ネジの頭部における頭部本体は、前述の通り、ドライバによっては逆回しして緩めることができないが、仮に、該頭部本体が外部に開放されているとすると、該頭部本体に例えば外部から棒状の不正具を接着剤で接合して逆回しするといった強引な方法によって不正に連結状態を解除される場合もあり得る。ところが、上記手段５の構成によれば、分離した後の分離部が磁気手段により頭部本体と操作孔との間の位置に保持されていることにより、該分離部が障害となって外部から不正具を頭部本体に届かせることができず、したがって不正に連結状態を解除されることをより確実に防止することができる。
なお、磁気手段は、規制手段の外側に設けられた状態で規制手段により覆われた部位に対して磁力を働かせるものであってもよい。
【００２２】
また、本発明にかかる遊技機は、手段６として、手段５の遊技機において、
前記規制手段が、破断ネジの頭部の周囲を包囲するとともに端面に前記操作孔が形成された筒状体となっていることを特徴とする。
【００２３】
上記手段６の構成によれば、分離した後の分離部が周囲からも包囲されるようにして保持されることとなり、したがってさらに確実に保持されて脱落防止効果がさらに向上する。
また、頭部本体も、周囲からも包囲されることにより、外部からの不正な操作が及ぶことがさらに困難な構成とすることができる。
【００２４】
また、本発明にかかる遊技機は、手段７として、手段６の遊技機において、
前記規制手段が、破断ネジの分離部の外径の２倍以下の内径を有する円筒状体となっていることを特徴とする。
【００２５】
規制手段が、仮に、破断ネジの分離部の外径の２倍を超える内径を有する円筒状体であったとすると、該分離部が規制手段の内部で偏って位置した場合に、頭部本体の位置から側方に大きくずれて位置することとなり、したがってもはや十分に障害として機能しなくなって、例えば操作孔から頭部本体に不正具を容易に近づけることが可能となってしまう。これに対し、上記手段７の構成のように、規制手段が、破断ネジの分離部の外径の２倍以下の内径を有する円筒状体となっていれば、該分離部が規制手段の内部で偏って位置したとしても、頭部本体の位置から側方に大きくずれることはなく、十分に障害として機能し得る範囲内に留まることとなって、操作孔から頭部本体に不正具を近づけることは困難である。
また、円筒状体とすることで、製造しやすく大量生産に適するという利点も得られる。
【００２６】
また、本発明にかかる遊技機は、手段８として、手段６または手段７の遊技機において、
前記規制手段が、破断ネジの分離部の外径よりも大きい内径を有する円筒状体となっており、
前記磁気手段が、分離した後の分離部を、頭部本体の中心に対し偏心させた状態に保持することを特徴とする。
【００２７】
規制手段が、仮に、破断ネジの分離部の外径にほぼ等しい内径を有する円筒状体であったとすると、該分離部が分離した後も規制手段の内部で頭部本体の中心に対して中心がほぼ揃った同心状態に保持されることとなる。この同心状態では、例えば、操作孔からドライバを挿入し分離部を頭部本体に強く圧しつけるようにしながら逆回しすると、破断面同士の間に摩擦力が働き、分離部とともに頭部本体も回転してしまう場合がある。これに対し、上記手段８の構成によれば、分離部が頭部本体の中心に対し偏心させた状態に保持されるため、いくら分離部を頭部本体に強く圧しつけるようにしながら逆回ししたとしても、頭部本体を回転させることは困難である。
【００２８】
また、本発明にかかる遊技機は、手段９として、手段６または手段７の遊技機において、
前記規制手段が、破断ネジの分離部の外径よりも大きい内径を有する円筒状体となっており、
前記磁気手段が、分離した後の分離部を、頭部本体に対し傾斜した体勢に保持することを特徴とする。
【００２９】
上記手段９の構成によれば、たとえ分離部を回転させたとしても、これにともなって頭部本体を回転させることは困難であるため、外部から頭部本体を回転させることをより困難とすることができる。
【００３０】
また、本発明にかかる遊技機は、手段１０として、手段６から手段９のいずれかの遊技機において、
前記磁気手段が、分離した後の分離部を、操作孔に嵌合した体勢に保持することを特徴とする。
【００３１】
上記手段１０の構成によれば、分離した後の分離部によって操作孔が閉塞された状態に保持されるため、該分離部を確実に障害として機能させることができ、操作孔から頭部本体に不正具を近づけることを効果的に防止することができる。
【００３２】
また、本発明にかかる遊技機は、手段１１として、手段６から手段１０のいずれかの遊技機において、
前記破断ネジの頭部本体が、径方向に延出する鍔部を有し、
前記規制手段が、筒状体の操作孔形成側と反対側における周壁の端縁から、筒状体の中心にむけて内側へ延出し、中心部に鍔部の外径より小さい孔径を有する挿通孔が形成された掛合リブを有することを特徴とする。
【００３３】
上記手段１１の構成によれば、破断ネジの鍔部が規制手段の掛合リブに掛合することによって、破断ネジが規制手段の内部から脱落しないように確実に保持される。
【００３４】
また、本発明にかかる遊技機は、手段１２として、手段１１の遊技機において、
前記掛合リブの挿通孔が、破断ネジの頭部本体の外径より大きい孔径を有し、
前記鍔部が、破断ネジの頭部本体における軸部側端から、掛合リブの厚さより大きい間隔をおいた位置に形成されていることを特徴とする。
【００３５】
上記手段１２の構成によれば、掛合リブが、破断ネジの頭部本体における軸部側端と鍔部との間に、多少の余裕をもって掛合することとなり、したがって、破断ネジを締結した状態でも、規制手段が破断ネジに対して自由に回転すること、即ち自在に空転（空回り）することが可能な状態に保持されるため、破断ネジを外部から逆回しすることを確実に防止することができる。仮に、上記のような余裕がないとすると、規制手段を回転させると破断ネジに対して空転せずに該破断ネジをともに回転させ、その結果、外部から規制手段を回転させることで破断ネジを緩めることが可能となってしまうこともあるが、上記手段１２のように余裕を設けることにより規制手段が空転し得る構成とすることによって、外部から破断ネジを緩めることを困難とすることができる。
【００３６】
また、本発明にかかる遊技機は、手段１３として、手段１１または手段１２の遊技機において、
前記掛合リブが、規制手段における周壁の端縁部を薄肉に形成し、規制手段の内部に破断ネジの頭部を収容した後に該端縁部を内側に折曲するように変形加工することにより形成されていることを特徴とする。
【００３７】
上記手段１３の構成によれば、規制手段をプレスすることにより容易に掛合リブを形成することができる。
【００３８】
また、本発明にかかる遊技機は、手段１４として、手段１から手段１３のいずれかの遊技機において、
前記破断ネジが永久磁石よりなり、
前記破断ネジの頭部が破断されることにより該破断ネジの頭部本体と分離部とが分離された場合に、前記頭部本体が磁気手段として機能することを特徴とする。
【００３９】
上記手段１４の構成によれば、破断ネジを永久磁石として成形することにより分離部が分離したとき頭部本体および分離部がそれぞれ別個に永久磁石として機能することとなるため、例えばその分離の瞬間に頭部本体および分離部の各破断面が引き付け合う（吸引し合う）ように構成することができる。したがって、別体としての磁気手段は省略することもでき、構成を簡略化することができる。なお、不正対策を考慮しない場合においては、規制手段の構成を省略してもよい。
【００４０】
また、本発明にかかる遊技機は、手段１５として、手段１から手段１４のいずれかの遊技機において、
前記破断ネジのネジ山に切欠が形成されていることを特徴とする。
【００４１】
上記手段１５の構成によれば、螺入対象部の構成材料を切欠に食い込ませるようにしながら破断ネジを螺入することができ、したがって破断ネジのゆるみ止め効果を向上させることができる。
【００４２】
また、本発明にかかる遊技機は、手段１６として、手段１から手段１５のいずれかの遊技機において、
遊技機がパチンコ機であることを特徴とする。
【００４３】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【００４４】
パチンコ機にあっては、破断ネジが磁性体よりなり、分離した分離部を磁力により遊技機の所定箇所に保持する磁気手段を備える構成とすることにより、破断ネジを用いて締結操作を行う際に分離部を分離させても、該分離部は磁気手段により所定箇所に保持しておくことができ、したがってゴミとならず、処理する手間を省くことができるとともに、遊技機内の隙間から入り込むこともないため、不具合が生じることも防止することができる。
【００４５】
また、本発明にかかる遊技機は、手段１７として、手段１から手段１５のいずれかの遊技機において、
遊技機がスロット機であることを特徴とする。
【００４６】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【００４７】
スロット機にあっては、破断ネジが磁性体よりなり、分離した分離部を磁力により遊技機の所定箇所に保持する磁気手段を備える構成とすることにより、破断ネジを用いて締結操作を行う際に分離部を分離させても、該分離部は磁気手段により所定箇所に保持しておくことができ、したがってゴミとならず、処理する手間を省くことができるとともに、遊技機内の隙間から入り込むこともないため、不具合が生じることも防止することができる。
【００４８】
また、本発明にかかる遊技機は、手段１８として、手段１から手段１５のいずれかの遊技機において、
遊技機がパチンコ機とスロット機を融合させた遊技機であることを特徴とする。
【００４９】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【００５０】
パチンコ機とスロット機を融合させた遊技機にあっては、破断ネジが磁性体よりなり、分離した分離部を磁力により遊技機の所定箇所に保持する磁気手段を備える構成とすることにより、破断ネジを用いて締結操作を行う際に分離部を分離させても、該分離部は磁気手段により所定箇所に保持しておくことができ、したがってゴミとならず、処理する手間を省くことができるとともに、遊技機内の隙間から入り込むこともないため、不具合が生じることも防止することができる。
【００５１】
また、本発明にかかる遊技機の製造方法は、手段１９として、
手段１から手段４のいずれかの遊技機の製造方法であって、
前記破断ネジの分離部を、分離した後に前記所定箇所から取り外すことを特徴とする。
【００５２】
上記手段１９の構成によれば、例えば遊技機の製造工程が完了した後、搬送中やホールでの設置作業時あるいは設置後などのいずれかの時点で、外部からの接触や機械的衝撃といった何らかの偶発的な要因により破断ネジの分離部が磁気手段から脱離し、遊技機内外で散乱してゴミとなったり、遊技機内の隙間から入り込んで不具合が生じたりするといった事態を確実に防止することができる。
【００５３】
また、本発明にかかる遊技機の製造方法は、手段２０として、手段１９の遊技機の製造方法において、
前記磁気手段を着脱可能に設け、
前記破断ネジの分離部を磁気手段ごと取り外すことを特徴とする。
【００５４】
上記手段２０の構成によれば、より容易に分離部を除去することができるとともに、磁気手段を再利用することもできる。
【発明の効果】
【００５５】
本発明によれば、回転操作を行うための操作器具が係合される係合部を有し締結に必要なトルクよりさらに大きいトルクで回転させると破断して分離し得る部位である分離部が頭部に形成された破断ネジによって、２以上の構成部材が連結された遊技機において、上記破断ネジが磁性体よりなり、分離した上記分離部を磁力により遊技機の所定箇所に保持する磁気手段を備える構成としたので、破断ネジを用いて遊技機の構成部材同士を連結した際に分離部を分離させても、該分離部は磁気手段により所定箇所に保持しておくことができ、したがってゴミとならず、処理する手間を省くことができるとともに、遊技機内の隙間から入り込むこともないため、不具合が生じることも防止することができる。
【発明を実施するための最良の形態】
【００５６】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００５７】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００５８】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００５９】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバ
ー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００６０】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００６１】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００６２】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２Ｂ内に嵌まり込むようにして取り付けられている。
つまり、この前面枠１４の側面の少なくとも一部が内枠１２の外側壁（リブ）１２Ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００６３】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００６４】
図４に示すように、内枠１２は、外形が矩形状の樹脂ベース２０を主体に構成されており、樹脂ベース２０の中央部には略円形状の窓部孔２１が形成されている。そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００６５】
従って、遊技盤３０の前面部の略中央部分が樹脂ベース２０の窓部孔２１を通じて内枠１２の前面側に露出した状態となっている（図４では遊技盤３０のアウト口３６が示され
ている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００６６】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００６７】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００６８】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００６９】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００７０】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００７１】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００７２】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００７３】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図５のＳ１，Ｓ２）を貼着することで、遊技盤３０と証紙との一義性を持たせることができる。
【００７４】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。  従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００７５】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００７６】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００７７】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００７８】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００７９】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００８０】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００８１】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００８２】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００８３】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００８４】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００８５】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００８６】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００８７】
（パチンコ機の背面構成）
図６及び図７は、パチンコ機１０の背面図と、外枠１１から内枠１２を開き、内枠１２からセット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００８８】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００８９】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００９０】
図５に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００９１】
その他、図６に示すように、内枠１２の背面構成において、遊技盤３０の右下部には、払出機構部３５２より払い出される遊技球を上皿１９、下皿１５、または排出通路の何れかに振り分けるための遊技球分配部が設けられている。
【００９２】
第１制御基板ユニット２０１は、遊技盤３０の裏面側に配設され、略Ｌ字状をなす取付台を有し、この取付台に主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ボックス２０１Ａに収容された構成とされる。
【００９３】
第２制御基板ユニット２０２は、取付台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００９４】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００９５】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００９６】
上記払出制御装置３１１、発射制御装置３１２、電源制御装置３１３およびカードユニット接続基板３１４は、透明樹脂材料等よりなる基板ボックス３１５（この内側に位置するもう一つの基板ボックス），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００９７】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００９８】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００９９】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、モニターＬＥＤ（図示せず）が消灯し、状態表示（図示せず）が「１」を点滅表示する。
【０１００】
（下受け皿満タン）
下受け皿満タンの報知は、図１に示す右コーナーＬＥＤ８１３が点灯し、モニターＬＥＤ（図示せず）が消灯する。そして、状態表示（図示せず）が「２」を点滅表示する。
【０１０１】
（払出ユニット異常）
払出モーター駆動中にも関わらず払出カウントスイッチに遊技球の通過がない状態を示すもので、右コーナーＬＥＤ８１０が点灯し、モニターＬＥＤ（図示せず）が消灯し、状態表示（図示せず）が、「３」を点滅表示する。
【０１０２】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【０１０３】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、モニターＬＥＤ（図示せず）及びモニターＬＥＤ（図示せず）が消灯する。そして、遊技球等貸出装置通信異常は、前記状態表示（図示せず）が「Ｕ」を点滅表示する。
また、コマンド異常は、ハーネスの破損等によるコマンド不良を示すもので、前記状態表示（図示せず）が「Ｃ」を点滅表示する（電源投入時にコマンド異常になった場合は点灯表示）。更に、コネクタ未接続は、モニターＬＥＤ（図示せず）が消灯する（ただし、発射動作中は点滅する）。
尚、図６において、８２０は、電源スイッチを示す。
【０１０４】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【０１０５】
前記第１制御基板ユニット２０１は、第１制御基板ボックス２０１Ａ、後述の開閉機構４１０および連結取付台座部材４３０を含み、第１制御基板ボックス２０１Ａは、第１制御基板ユニット２０１の主要部をなす部材であり、図８乃至図１５に示すように、外側ケース７０および内側ケース８５を含む。この実施例では、外側ケース７０が主制御装置２６１の制御基板８０を収容する容積のある方であり、内側ケース８５がその蓋体に相当する方である。上記外側ケース７０および内側ケース８５は第１ケースおよび第２ケースに相当するものであるが、外側ケース７０および内側ケース８５のうちいずれを第１ケースとしいずれを第２ケースとするかは任意である。
この第１制御基板ボックス２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１制御基板ボックス２０１Ａを破壊するか或いは所定の部位を切断することを必要とするものである。
【０１０６】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【０１０７】
図８は、遊技球が流下する遊技領域を前面側に形成してある遊技盤３０の裏面の斜視図である。図９は、第１制御基板ボックス２０１Ａを開閉機構４１０から取り外した状態を示す。
【０１０８】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１５に示すようにそのコの字の底板部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【０１０９】
前記第１部材としての支持体４１２のコの字の底板部分にはネジ孔が設けられ、図１５に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結取付台座部材４３０に対する）に構成され、その第１係合部４１４には、図１６に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【０１１０】
上記構造とすることにより、球集合板４６０を遊技盤３０に取り付けた後は支持体４１２が外側から取り外せない状態となるので、例えば後述する第１制御基板ボックス２０１Ａを不正に取り外したりすることがより困難となる。
【０１１１】
上記球集合板４６０については、その外周部の複数個所を遊技盤３０の裏面に対して固定するが、そのうちの少なくとも一つが固定解除できないように、後述する破断ネジ等でするか、ビス留めしたあと、ビス頭部を覆うキャップを取り付けるようにする等して、球集合板４６０が遊技盤３０から容易に外されるのを防止する構造としてもよい。
【０１１２】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１６に示すように、前記支持体４１２に枢支連結される一枚の支持板からなる支持部４１３Ａが形成されており、その支持部４１３Ａは、ブラケット本体部から直角に折り曲げられて側面視で門型に形成されている。
【０１１３】
尚、前記第１制御基板ボックス２０１Ａは、既述の通り、外側封印部７１を備える外側ケース７０と内側封印部８６を備える内側ケース８５を有し、主に外側ケース７０の内部に遊技を制御する制御基板を収容する構成のものである。
【０１１４】
次に、図９乃至図１８に基づいて、連結取付台座部材４３０について述べる。
この連結取付台座部材４３０は、前記開閉機構４１０と前記第１制御基板ボックス２０１Ａとにそれぞれ連結されるものであり、言わば従来から用いられていた基板ボックスを取り付けるための取付台座に相当するものであって、合成樹脂で成型されており、ここでは、幅は、前記第１制御基板ボックス２０１Ａの幅と実質的に同じ幅（約１５０ｍｍ）で、長さが約４８ｍｍ（第１制御基板ボックス２０１Ａの長手方向に向かう長さ）、厚みが１３ｍｍ、肉厚は、２ｍｍのものであり、第１制御基板ボックス２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【０１１５】
前記第１制御基板ボックス２０１Ａのうち、前記連結取付台座部材４３０と連結封止される部位である第１取付台座封止部４５０が、その内側ケース８５の端部に設けられており、ここでは該第１制御基板ボックス２０１Ａの幅方向に、所定の間隔を隔てて４個突設されている。この第１取付台座封止部４５０は、外側ケース７０の外側封印部７１と内側ケース８５の内側封印部８６との位置と平面視で位相がずれるように変位して配置されており
、従って、第１制御基板ボックス２０１Ａを背面から（遊技機の背面から）見たときに、前記外側封印部７１と内側封印部８６に重なることなく、視認できる状態にある。  即ち、前記外側封印部７１と内側封印部８６の位置する側に前記第１取付台座封止部４５０が配置され、且つ、前記第１制御基板ボックス２０１Ａの背面視（正面）において、前記第１取付台座封止部４５０が見えるように前記外側および内側封印部７１、８６と平面位相をずらせて配置されているのである。
【０１１６】
そして、前記連結取付台座部材４３０には、前記第１制御基板ボックス２０１Ａの前記第１取付台座封止部４５０と連結封止される部位である第２取付台座封止部４３２が、ここでは、４個が、前記４個の第１取付台座封止部４５０と対応する位置に突設されている。この１個の第２取付台座封止部４３２の構造は、この連結取付台座部材４３０の本体に繋がるリブに、有底のネジ止め凹部を有する突起体が一体成型されており、そのリブの底面と有底板分の底面は面一で、且つ、前記収容部４３１のリブ及び周壁のレベルと面一とされている。
そして、前記第１、及び第２取付台座封止部４５０、４３２は、破断ネジを用いて連結封止される。
【０１１７】
前記連結取付台座部材４３０の内部に、前記開閉機構４１０の前記第１係合部４１４と係合する部位である第２係合部４３３が設けられる。この第２係合部４３３は、この実施例では、後述する第１被覆部材４３０Ａとは別体成型の第２被覆部材４３０Ｂに取り付けられる。勿論、別体の第２被覆部材４３０Ｂが存在せず、第２係合部４３３が連結取付台座部材４３０の樹脂成型時に埋め込まれたり、或いは、それ自体の弾性変形を利用して、連結取付台座部材４３０に形成された挿入部４３４の内部に挿入設置されるように構成されてもよいものである。
【０１１８】
前記第２係合部４３３は、ここでは、弾性を備えた一枚の薄い板体（鋼板）を折曲成形して構成されている。即ち、概略縦長の長方形の板体の一方長辺に沿って延びる帯状部を直角に折曲し、さらにこの帯状部の両端部を内側方向（板体の他方長辺側方向）へ９０度未満の小角度（例えば２０〜６０度程度）だけ折曲して弾性係合爪を形成した構成となっている。一方、前記第１係合部４１４は、金属製の平板状体で構成され、そこに切り欠き係合部４１５が形成され、該切り欠き係合突片部４１５に前記第２係合部４３３の係合爪を係合させることによって、抜け出し防止の規制機構４４０Ｄが構成されている。そして、前記開閉機構４１０の前記第１係合部４１４を挿入して前記連結台座部材４３０の内部の前記第２係合部４３３に係合させるために前記連結台座部材４３０に、挿入部４３４が形成されている。
【０１１９】
このように、前記規制機構４４０Ｄは、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【０１２０】
なお図１０には、図示を明確化するため、第１係合部４１４を前記挿入部４３４に挿入した状態で、第２部材すなわちブラケット４１３ごと第１制御基板ボックス２０１Ａが球集合板４６０から分離した状態が示されているが、実際のパチンコ機１０においては、ブラケット４１３は第１制御基板ボックス２０１Ａ側（連結取付台座部材４３０）よりも先に、球集合板４６０側（第１部材すなわち支持体４１２）に取り付けられた構造となっている。
【０１２１】
ここで、更に、前記連結取付台座部材４３０について詳述する。前記第２係合部４３３を被覆するべく前記連結取付台座部材４３０には、第１被覆部材４３０Ａと第２被覆部材４３０Ｂが備えられている。第１被覆部材４３０Ａが前記連結取付台座部材４３０に一体形成されたもので、第２被覆部材４３０Ｂは、前記連結取付台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【０１２２】
そして、この第２被覆部材４３０Ｂに、前記第２係合部４３３が設けられるが、その第２係合部４３３の薄板を、第２被覆部材４３０Ｂに形成した係止突片４３０Ｃに、その入口の側からスライド挿入して係止させ、且つ、ネジ止めされる。
前記第２被覆部材４３０Ｂは、前記第１被覆部材４３０Ａよりも小さく構成され、前記連結取付台座部材４３０と前記第１制御基板ボックス２０１Ａとが連結した状態においては、前記第２被覆部材４３０Ｂの取り外し方向側に前記第１制御基板ボックス２０１Ａが位置された状態となり、前記第１制御基板ボックス２０１Ａと前記第１被覆部材４３０Ａとにより被覆された状態となるように構成されているものである。
【０１２３】
また、前記連結取付台座部材４３０は、前記第１制御基板ボックス２０１Ａよりも小さく構成され、前記第１制御基板ボックス２０１Ａのうち、基板裏面側で一端側に寄せて連結されるように構成されているものである。
【０１２４】
更に、上述した通り、前記第１及び第２被覆部材４３０Ａ、４３０Ｂを透明樹脂により成型し、これらに被覆される第２係合部４３３を金属製の係合部材により構成してある。
前記第１制御基板ボックス２０１Ａの側面に、係止リブ４２０、４２０、４２０が前記連結取付台座部材４３０の略周部に沿って配置されて突出するように備えられ、該係止リブ４２０、４２０、４２０に所定の方向、即ち、第１制御基板ボックス２０１Ａの裏面に沿って第１、第２取付台座封止部や第１連結部の位置する側から第１制御基板ボックス２０１Ａの中央側に向けてスライド移動させることによって、係合するリブ係合部４３５が前記連結取付台座部材４３０の側部に設けられると共にその一つの係止リブ４２０が、前記連結取付台座部材４３０の収容部４３１の周壁の内側に形成されたリブ係合部４３６に係合するように設けられている。
【０１２５】
前述の別体構成の前記第２被覆部材４３０Ｂの両側部にカム面を備えた係合片４３０Ｄ、４３０Ｄが突設され、前記連結取付台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結取付台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【０１２６】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２取付台座封止部４５０、４３２により連結封止することによって、第１制御基板ユニット２０１を不正品に交換されることを防止できる。
【０１２７】
更に、連結取付台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１制御基板ボックス２０１Ａおよび開閉機構４１０、即ち第１制御基板ユニット２０１ごと不正に持ち去ることを防止できるのである。
【０１２８】
次に、第１被覆部材４３０Ａが前記連結取付台座部材４３０に一体形成されるのに対し、第２被覆部材４３０Ｂが前記連結取付台座部材４３０に組み合わせるよう別体構成とされることで、第２係合部４３３を被覆することを行い得ながら、第２係合部４３３を第２被覆部材４３０Ｂに備えておいて、これを後に組み合わせるという作業で、この、第２係合部４３３を前記連結取付台座部材４３０の内部に備えることができる。
【０１２９】
また、前記連結取付台座部材４３０と前記第１制御基板ボックス２０１Ａとが連結した状態においては、第２被覆部材４３０Ｂが前記第１制御基板ボックス２０１Ａの側に位置して、前記第１被覆部材４３０Ａとで挟まれた状態となって第２係合部４３３の被覆が行われ、その被覆が容易に外れない。
【０１３０】
更に、連結取付台座部材４３０は、前記第１制御基板ボックス２０１Ａよりも小さく構成され、前記第１制御基板ボックス２０１Ａのうち、基板裏面側で一端側に寄せて連結される構成であるので、従来のような基板ボックスと同等の大型の取付台座を必要とすることがない状態で、その第１制御基板ボックス２０１Ａの開閉を行い得るのである。
【０１３１】
更に、前記第１及び第２被覆部材４３０Ａ、４３０Ｂを透明樹脂により成型し、これらに被覆される第２係合部４３３を金属製の係合部材により構成してあることで、第１係合部４１４と第２係合部４３３の係合状態が確実におこなわれているかどうか外部から視認でき、また、強固な係合がされていることが視認されることで、安易な取り外しが行われないようにすることができる。
【０１３２】
また、前記第２係合部４３３を板金で構成してその一部を変形させることで第１係合部４１４に対する係合を行う構成であるので、極めて構造が簡単であり、同時に、係合状態の解除が容易に行われないものである。
【０１３３】
更に、挿入部４３４の入口をテーパ状として、且つ、案内リブを設けることで、第１係合部４１４の挿入を容易にすることができると共に内部への侵入がガイドされてスムースに行い得るのである。
【０１３４】
また、外側ケース７０の前記外側封印部７１と内側ケース８５の内側封印部８６の位置する側に前記第１取付台座封止部４５０及び第２取付台座封止部４３２が配置されるものの、前記第１、及び第２取付台座封止部４５０、４３２が見えるように前記外側および内側封印部と平面位相をずらせて配置されていることで、前記第１、及び第２取付台座封止部４５０、４３２が前記第１制御基板ボックス２０１Ａの背面視（正面）において、視認可能となり、前記第１、及び第２取付台座封止部４５０、４３２が不正に解除されているかどうか容易に分かるのである。
【０１３５】
また、第１制御基板ボックス２０１Ａの側面に、係止リブ４２０を突出するように設け、前記連結取付台座部材４３０を係止させて位置決めすることができ、その後の前記第１取付台座封止部４５０及び第２取付台座封止部４３２の連結が行い易いのである。
【０１３６】
更に、前記第２被覆部材４３０Ｂを連結取付台座部材４３０に取り付けるに、第２被覆部材４３０Ｂのカム面を備えた係合片４３０Ｄと、連結取付台座部材４３０の前記係合片４３０Ｄに係合する係合部４３０Ｅの存在によって、第２被覆部材４３０Ｂを連結取付台座部材４３０に向けて押圧するだけで、素材の弾性変形でもって係合が行われることになり、簡単に組み付けができる。
【０１３７】
また、連結取付台座部材４３０に、破断ネジ４３９を収容する収容部４３１を設けることで、第１制御基板ボックス２０１Ａの定期検査等で封止を解いた後に、そこから破断ネジ４３９をとり出して、再び新たな第１取付台座封止部４５０と第２取付台座封止部４３２との封止を行うことができる。
【０１３８】
（開閉機構の一部変形例）
上記開閉機構４１０の他端側である第２部材、第１、第２取付台座封止部４５０,４３２を、破断ネジで連結させてもよい。
【０１３９】
また、第１取付台座封止部４５０に形成された切断部４５０Ａ（図９他参照）を切断して、破断ネジは第２取付台座封止部及び第２部材に残すようにすれば連結封止を解除できる。  更に、別の変形例として、第１、第２連結部の両方に切断部を形成し、破断ネジを第２部材に残すようにしてもよい。
【０１４０】
また、この例では、第１係合部４１４を構成する金属製の平板状体を方形状に打ち抜いて開口係合部４１７が形成されており、該開口係合部４１７に前記第２係合部４３３の舌片４３３ｄの係合爪を係合させることによって、抜け出し防止の規制機構４４０Ｄが構成されている。
【０１４１】
遊技盤３０の裏面と第１制御基板ユニット２０１との間には、カバー部材５０１が介装されている。図１４及び図１５に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記カバー部材５０１は、この球集合板４６０と第１制御基板ユニット２０１との間の間隙を補填するためのものであり、当該間隙にほぼ対応した寸法を有するものとなっている。
【０１４２】
上記カバー部材５０１を設けた主たる目的は、球集合板４６０の裏面に設けられた種々の電気部品、例えば、遊技盤３０の表面に設けられた電飾用の基板等の電気部品、配線などを保護することになる。即ち、この球集合板４６０の裏面に露出された状態に配置されているものであるから、裏面側からアタック（多の部品の組み付け時、或いは基板ボックスの開閉時）に際して、破損、破断が生じる虞がある。
【０１４３】
この他に、球集合板４６０の裏面中央には、中継基板４７０、これにつながるコネクタ、配線が設けられている。ここでは、中継基板４７０は、表裏２段配置に構成されており、裏面側（外側）では、第１制御基板ユニット２０１からの入力を、大入賞口作動のための中継とし、また一部の電飾に中継し、また、入球を検知するセンサーの出力を中継している。同様に、内側の中継基板については、電飾等の中継を行う。
また、球集合板４６０の裏面に露出されている基板としては、大当たりに際して開く大入賞口装置４７１（図５参照）のための制御（ソレノイド、センサー）を行う中継基板４７３がある。これらの中継基板４７０、中継基板４７３については、この実施例では、前記カバー部材５０１の被覆対象外となっている。即ち、これらの中継基板４７０、中継基板４７３を覆いから外すように、即ち、その中継基板４７０に対しては、このカバー部材５０１の一部を凹ませた形状とし、その中継基板４７３については、中抜き形状（窓）として、そのカバー部材５０１の形状が採られている。
【０１４４】
上記カバー部材５０１は、球集合板４６０に対向する面が開放された概略横長で中空体（箱形）に形成され、その上端部にはほぼ矩形状の切欠部５１１が形成されている。この切欠部５１１は、球集合板４６０と第１制御基板ユニット２０１とを電気的に接続するスペースを確保するためのものである。
【０１４５】
上記カバー部材５０１の内部には、図１４に示すように、複数のリブ５１２が形成されている。このリブ５１２は、カバー部材５０１の補強の機能だけでなく、該カバー部材５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１４６】
上記カバー部材５０１は透明樹脂よりなるものであり、これにより、内部での不正行為の有無等が外側から容易に視認することができ、したがって不正をより効果的に防止し得るようになっている。
【０１４７】
上記カバー部材５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１５では右側端部）には、上下１対の軸４６２がそれぞれ上方に突出するように設けられており、この軸４６２に前記カバー部材５０１のブラケット５１３が挿通されている。これにより、上記カバー部材５０１は一方端部で軸４６２を中心として水平面上で回動可能に軸支され開閉可能となっている。即ち、該カバー部材５０１の開閉軸線はパチンコ機１０の背面からみて前記開閉機構４１０形成側端部の反対側（図１４および図１５の右側）で上下に延びるように設定されており、この開閉軸線を軸心にしてカバー部材５０１が後方側に十分に開放できるようになっている。
【０１４８】
前記第１制御基板ボックス２０１Ａは、図１３に示すように開閉機構４１０により該開閉機構４１０形成側端部（図１３では左側端部）で回動させて一方側へ（図１３では左方に）開放し得るようになっているが、上記のようなカバー部材５０１の支持構造とすることにより、該カバー部材５０１は図１４に示すように第１制御基板ボックス２０１Ａとは逆方向に（図１４では右方に）開放し得るようになっている。すなわち、該カバー部材５０１と第１制御基板ボックス２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１４９】
上記カバー部材５０１の自由端部側（図９及び図１１では左端部側）およびこれに対応する球集合板４６０上の位置には、カバー部材５０１と球集合板４６０とを封止するための封止手段が設けられている。この封止手段は、第１封止部５２０Ａと第２封止部５２０Ｂとを有している。この第１封止部５２０Ａおよび第２封止部５２０Ｂについて以下順次説明する。
【０１５０】
図１９に示すように、第１封止部５２０Ａは、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されている。
【０１５１】
カバー部材５０１の自由端において球集合板４６０に当接する上下２箇所のコーナー部からは、それぞれ、上下１組の方形状の延出片が、互いに平行となるように、水平に平伏した状態で、カバー部材５０１の長さ方向に沿って延出し、上下１組の延出片のうち内側に位置する延出片の先端部が外方に屈曲して外側の延出片に向かって延び、これら上下の延出片の先端部分が、カバー部材５０１の奥行方向に沿って延びる円筒状部を支持するような形状となるように、カバー部材５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１５２】
一方、球集合板４６０において上記カバー部材５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底板にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底板にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記カバー部材５０１の挿入部５１４に螺合し、これによりカバー部材５０１の自由端部が球集合板４６０に固定されるようになっている。
【０１５３】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、カバー部材５０１と球集合板４６０とが封止されるようになっている。一方、たとえば球集合板４６０の裏側の点検などを目的としてカバー部材５０１を開放する場合には、前記切断部５１４Ａを切断することにより、カバー部材５０１と球集合板４６０との封止状態を外側から（パチンコ機１０の背面側から）、痕跡を残しながら解除することができる。
【０１５４】
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１５５】
第２封止部５２０Ｂは、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。上記破断ネジ５２２は、第１取付台座封止部４５０と第２取付台座封止部４３２とを連結封止するための、後述する破断ネジ４３９と同様の構成を有するものとなっており、ここでは説明を省略する。
【０１５６】
カバー部材５０１の自由端は、高さ方向における中段をなす帯域部分が内側に陥入して、正面視概略コ字状の形状を有しており、その陥入部分の底板から、高さ方向に長く延びる概略直方体状の基台部５１５Ｂが外側（カバー部材５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、カバー部材５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち、例えば遊技盤３０の裏面に対し平行となるように、底壁５１５Ｄが設けられ、該底壁５１５Ｄにはネジ挿通孔（図示せず）が穿設されている。
【０１５７】
上記周壁部５１５Ｃを含む上下の延出片および底壁５１５Ｄにより、破断ネジ挿通部５１５が構成されている。上記上下の延出片は、前記第１封止部５２０Ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０Ｂの切断部５１５Ａとなっている。
【０１５８】
一方、図１５に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（カバー部材５０１側）へ延出する円筒状に形成され、その内部にはネジ溝が設けられて破断ネジ５２２が螺入され得るようになっている。
【０１５９】
図１９に示すように、カバー部材５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（カバー部材５０１側）から挿通されて螺入部４６３に螺入され、これによりカバー部材５０１が球集合板４６０に固定される。破断ネジ５２２は、後述するように所定の高トルクで回転させることにより頭部の先端側の分離部が破断して分離する。この状態では、ドライバによって破断ネジ５２２を回転させることはできず、しかも破断ネジ５２２は破断ネジ挿通部５１５の周壁部５１５Ｃで包囲されているため、痕跡を残さずに破断ネジ５２２を取り除くことは不可能である。これにより、カバー部材５０１と球集合板４６０とが封止された状態となる。一方、前記切断部５１５Ａを切断することにより、カバー部材５０１と球集合板４６０との封止状態を痕跡を残しながら解除することができる。
【０１６０】
カバー部材５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０Ａが設けられている。さらに、下段の突出部分の先端面において、第１封止部５２０Ａの上方の位置に、破断ネジ挿通部５１６が設けられている。この破断ネジ挿通部５１６は、前記陥入部分の底板に設けられた破断ネジ挿通部５１５とほぼ同様の上下の延出片（周壁部を含む）および底壁を有する構成となっている。
【０１６１】
また、図１５に示すように、球集合板４６０において上記カバー部材５０１の下段の突出部分に設けられた破断ネジ挿通部５１６に対応する位置には螺入部４６４が設けられており、この螺入部４６４は前記螺入部４６３と同様に、背面側（カバー部材５０１側）へ延出する円筒状に形成され、その内部にはネジ溝が設けられて破断ネジ５２２が螺入され得るようになっている。本実施形態に示す第２封止部５２０Ｂは、カバー部材５０１の陥入部分の底板に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点でカバー部材５０１と球集合板４６０との封止がなされ得るようになっている。
【０１６２】
上記カバー部材５０１の陥入部分の底板に設けられた上下の破断ネジ挿通部５１５は、図９および図１１に示すように、前記開閉機構４１０におけるブラケット４１３の上下の支持部４１３Ａの間に挟持されるような位置に形成され、これら支持部４１３Ａの間のスペースをほぼ閉塞し、第１制御基板ボックス２０１Ａを枢着する軸４１１であるリベットの頭部に近接している。
【０１６３】
図９乃至図１１ならびに図２１に示すように、上記カバー部材５０１の外側面（第１制御基板ボックス２０１Ａ側面）における固定端部（図９、図１１及び図２１では右側端部）には、先端に係止爪が形成された矩形状の係止片５１７が後方に（第１制御基板ボックス２０１Ａ側に）突出するように配設され、一方、第１制御基板ボックス２０１Ａの内側ケース８５の自由端部には、矩形状の突起部８５１が側方に（図２１では右方に）突出するように配設されており、図２２に示すように該係止片５１７が突起部８５１に弾性的に係止し得るようになっている。この係止片５１７は、カバー部材５０１に一体成型されている。
【０１６４】
前記第１制御基板ボックス２０１Ａの矩形状突起部８５１には、図２４に示すように外部との電波の送受信を行うように構成されたシール（封印シール）６０１が貼付され、これにより第１制御基板ボックス２０１Ａの右側端縁部分が封印される。矩形状突起部８５１は、第１制御基板ボックス２０１Ａの外側ケース７０および内側ケース８５の右側端縁部分に、互いに合同な縦長の長方形状を有する突起片をそれぞれ右方へ突出するように形成しておき、外側ケース７０に内側ケース８５を嵌着するとともにこれら突起片を重合させるようにすることによって構成されている。封印シール６０１は、横断面コの字形状をなすように折り曲げた状態で、前記外側ケース７０および内側ケース８５の両突起片を跨ぐようにして貼付されている。
【０１６５】
封印シール６０１は、図２６および図２７に示すように、前記第１制御基板ボックス２０１Ａの矩形状突起部８５１の上下面を除く３面を折り曲げ状態でほぼ全面的に覆い得る長方形状の平面形状を有し、図２５に示すように、基材層６０２、粘着材層６０３および剥離紙６０４を積層して構成され、粘着材層６０３上にはＩＣタグユニット６０５が配置されている。
【０１６６】
基材層６０２は、ポリエステルフィルム等の樹脂フィルムよりなり、封印シール６０１を剥がす力に伴う応力によって一部が破壊される程度の適度な脆性を有するとともに、粘着材層６０３を構成する粘着剤に対する溶解性を有するトルエン等の有機溶剤や粘着剤層の粘着力が低下する温度（例えば５０℃以上）の熱により変色するものとなっている。これにより、第１制御基板ボックス２０１Ａの矩形状突起部８５１から封印シール６０１を不正に剥がすことを意図して溶剤をかけたり熱を加えたりすると、基材層６０２が変色して不正行為の痕跡が残るようになっている。
【０１６７】
粘着剤層６０３を構成する粘着剤は、一旦貼付した後に剥がされると基材層６０２から剥がれる程度の粘着力を有している。よって、封印シール６０１が剥がされた場合には再度貼付することが困難であり、さらに粘着剤層６０３の一部が被着体側に残存することとなる。これにより、封印シール６０１を不正に剥がした場合に痕跡を残すことができる。
【０１６８】
ＩＣタグユニット６０５は、ＩＣチップ６０５ａおよびアンテナ６０５ｂより構成されており、帯状に延びる長尺状のアンテナ６０５ｂの中央付近にＩＣチップ６０５ａが配置されている。ＩＣチップ６０５ａは集積回路として形成されるものであり、制御部およびメモリー領域を有する。メモリー領域には、識別データとしてのＩＤ情報が格納されている。アンテナ６０５ｂは、アルミ等の金属薄層で形成されており、その厚みはＩＣチップ６０５ａの厚みよりも薄い。また、アンテナ６０５ｂは、共振周波数が２．４５ＧＨｚ等の一定周波数となるようにアンテナパターンとして作製されている。
【０１６９】
ＩＣチップ６０５ａのメモリー領域に格納されたＩＤ情報は、制御部により呼び出されてアンテナ６０５ｂから発信し得るように構成されており、アンテナ６０５ｂから発信されたＩＤ情報をリーダー／ライターとして形成されるスキャナーで受信して読み取ることができるようになっている。詳細には、スキャナーから前記周波数の微弱な電波で呼び出しが行われ、この電波で誘導電磁界が形成される。この誘導電磁界内にアンテナ６０５ｂが位置する程度に、スキャナーをアンテナ６０５ｂに近接させると、アンテナ６０５ｂに電磁誘導により起電力が発生する。ＩＣチップ６０５ａではこの起電力を電源として、メモリー領域に格納されているＩＤ情報が制御部で呼び出されてアンテナ６０５ｂから送信され、このように発信されたＩＤ情報をスキャナーで受信して読み取ることができるようになっている。
【０１７０】
ＩＣタグユニット６０５（アンテナ６０５ｂ）は、図２７に示すように、粘着剤層６０３が形成された基材層６０２に対し、当該基材層６０２の一隅部側からその対角方向の隅部側に亘って斜めに配置されている。詳細には、アンテナ６０５ｂは基材層６０２の対角線上にはなく、アンテナ６０５ｂの長手方向が基材層６０２の両対角線と交差している。この場合、長尺状のアンテナ６０５ｂはその長手方向が基材層６０２のすべての辺方向と交差することとなる。そして、前記矩形状突起部８５１を構成する両突起片に跨って封印シール６０１が貼付されているのに伴って、アンテナ６０５ｂも両突起片に跨っている。
【０１７１】
また、封印シール６０１には、アンテナ６０５ｂの長手方向に沿って多数のアンテナ用切り込み６０６が等間隔に並置するようにして形成されている。アンテナ用切り込み６０６は、アンテナ６０５ｂの長手方向に対して略直交する方向に延びる直線状であり、基材層６０２の表面側から粘着剤層６０３の背面側まで貫通している（なお、図２６ではアンテナ用切り込み６０６は図示省略している）。ちなみに、アンテナ用切り込み６０６が延びる方向は、アンテナ６０５ｂの長手方向に対して略直交する方向であるため、基材層６０２のすべての辺方向と交差している。また、アンテナ用切り込み６０６は、アンテナ６０５ｂに若干掛かる構成となっている。この場合に、アンテナ６０５ｂはアンテナ用切り込み６０６により分断されていないため、ＩＤ情報の送信に関して弊害は生じない。また、アンテナ用切り込み６０６がアンテナ６０５ｂを挟んで直線状に並ばないように、アンテナ６０５ｂの一側に位置するアンテナ用切り込み６０６と他側に位置するアンテナ用切り込み６０６とはずらして形成されている。詳細には、アンテナ６０５ｂの一側に位置するアンテナ用切り込み６０６と他側に位置するアンテナ用切り込み６０６とは、アンテナ６０５ｂの長手方向に沿って交互に並ぶように形成されている。
【０１７２】
上記封印シール６０１を第１制御基板ボックス２０１Ａの矩形状突起部８５１から剥がそうとする場合、できるだけ該封印シール６０１を損なわないようにするには、剥がす力に伴う応力が、基材層６０２の隅角に対して局所的に集中したり封印シール６０１の折り曲げ部分に集中したりしないように、封印シール６０１の短辺に沿う方向に剥がすことが必要となるが、この方向はアンテナ６０５ｂの延びる方向に対して交差する方向である。従って、剥がす力に伴う応力がアンテナ６０５ｂの周囲に位置するアンテナ用切り込み６０６の端部に集中することで、アンテナ用切り込み６０６を端緒とする断裂が生じて基材層６０２が破壊され、これに伴いアンテナ６０５ｂが分断されることとなる。アンテナ６０５ｂが分断されるとＩＤ情報がアンテナ６０５ｂから送信されなくなるので、ＩＤ情報をスキャナーで読み取ることができなくなる。よって、封印シール６０１を第１制御基板ボックス２０１Ａの矩形状突起部８５１からできる限りきれいに剥がして第１制御基板ボックス２０１Ａを開封し、制御基板８０に対して不正を行った後に、第１制御基板ボックス２０１Ａを封印すべく封印シール６０１を再度きれいに原状に復すように貼ったとしても、当該不正行為を容易に発見することができる。
【０１７３】
封印シール６０１の４隅には、基材層６０２の表面側から粘着剤層６０３の背面側まで貫通する隅部切り込み６０７がそれぞれ形成されている。詳細には、隅部切り込み６０７は、封印シール６０１の隅角の内側にて当該隅角に沿うようにしてＬ字状に形成されている。よって、封印シール６０１がその一辺に沿う方向に剥がされるのではなく隅角側から（即ち封印シール６０１の辺に対し斜方向に）剥がされたとしても、隅部切り込み６０７から封印シール６０１に破壊が生じることとなる。これにより、不正行為の痕跡を残すことができる。
【０１７４】
封印シール６０１の外縁には、図２６に示すように、外側端部から内側に向けて多数の外縁切り込み６０８が形成されている。これら外縁切り込み６０８は、内側から外側に向けて開く鋭角のＶ字状となっており、さらに封印シール６０１の外周に沿う方向に等間隔で形成されている。従って、第１制御基板ボックス２０１Ａの矩形状突起部８５１から封印シール６０１を剥がそうとすると、この剥がす力に伴う応力が外縁切り込み６０８の内側端部に集中して封印シール６０１に破れなどといった破壊が生じる。これにより、封印シール６０１が剥がされたことの痕跡を残すことができ、制御基板８０に対して不正行為が行われたことを容易に発見することができる。
【０１７５】
ただし、上記のように外縁切り込み６０８が形成された構成においては、封印シール６０１の一辺全体からその辺に直交する方向に沿って封印シール６０１が剥がされると封印シール６０１の破壊が生じ難い。即ち、封印シール６０１をその角から剥がす場合や、封印シール６０１の外縁における隣り合う外縁切り込み６０８間を摘んで剥がす場合などは、剥がす力に伴う応力が少数の外縁切り込み６０８の内側端部に集中するため、外縁切り込み６０８を介した封印シール６０１の破壊が生じ易いのに対し、矩形状の封印シール６０１の一辺全体からその辺に直交する方向に沿って剥がす場合には、剥がす力に伴う応力が多数の外縁切り込み６０８の内側端部に分散されるため、外縁切り込み６０８を介した封印シール６０１の破壊が生じ難い。よって、後者の方式で封印シール６０１が剥がされると、外縁切り込み６０８では不正の痕跡が残らない場合がある。ところが、前述したように、アンテナ６０５ｂが封印シール６０１の一隅部側からその対角方向の隅部側に亘って延びるようにして斜めに配置されているので、封印シール６０１の一辺全体からその辺に直交する方向に沿って封印シール６０１が剥がされたとしてもアンテナ６０５ｂが分断されることとなる。これにより、不正行為を容易に発見することができる。
【０１７６】
基材層６０２の表面には、図２６に示すように、インク塗布部６０９、識別情報部６１０および機種情報部６１１が設けられている。インク塗布部６０９には、紫外線等の特定の波長の光が照射されることにより模様が表れる特殊インクが塗布されている。識別情報部６１０には、複数の数字が記載されており、当該識別情報部６１０に記載される数字は遊技機毎に異なっている。この場合に、識別情報部６１０に記載される数字はＩＣチップ６０５ａに格納されているＩＤ情報と対応づけて設定されている。例えば、ＩＤ情報が数字で登録されている場合には、ＩＤ情報の数字と識別情報部６１０に記載された数字との和が、遊技ホールなどに設置された複数の遊技機において同一となるように設定されている。機種情報部６１１には、当該遊技機の機種名や当該遊技機の製造メーカー名などが記載されている。
【０１７７】
ここで、封印シール６０１の図２６における上部領域Ｒ１は、図２４に示すように、外側ケース７０の突起片の表側面（重合面と反対側の面）に貼付することを意図して形成された領域となっている。よって、第１制御基板ボックス２０１Ａに対峙する位置からは、インク塗布部６０９および識別情報部６１０を視認することができるので、インク塗布部６０９および識別情報部６１０の確認作業を容易に行うことができる。また、封印シール６０１の図２６における中間領域Ｒ２は、図２４に示すように、外側ケース７０および内側ケース８５の両突起片の突出端面（即ち矩形状突起部８５１の突出端面）に貼付することを意図して形成された領域となっている。よって、機種情報部６１１に記載された内容は第１制御基板ボックス２０１Ａを取り外すことなく確認することができる。なお、下部領域Ｒ３は、内側ケース８５の突起片の表側面（重合面と反対側の面）に貼付することを意図して形成された領域となっている。また、前記したように、第１制御基板ボックス２０１Ａが遊技盤３０の裏面側に取り付けられた状態では、矩形状突起部８５１にはカバー部材５０１の外側面に形成された係止片５１７が弾性的に係止しており、このため矩形状突起部８５１の突出端面から内側ケース８５の突起片の表側面にかけて貼付されている封印シール６０１の中間領域Ｒ２および下部領域Ｒ３や上部領域Ｒ１の一部はこの係止片５１７に覆われた状態となっているが、この係止片５１７は容易に取り外すことができるため、インク塗布部６０９、識別情報部６１０または機種情報部６１１の確認作業を行うことも容易である。
【０１７８】
上述のようにインク塗布部６０９および識別情報部６１０が設けられていることにより、第１制御基板ボックス２０１Ａが不正に交換された場合に、その交換がなされていることを容易に発見することができる。即ち、交換された不正用の基板ボックスが正規の第１制御基板ボックス２０１Ａと外観上区別できなかったとしても、インク塗布部６０９に特定の光を照射し模様が表れないことを確認することで交換されたことを発見することができる。また、不正用の基板ボックスのシールにＩＣタグユニットが設けられていたとしても、ＩＤ情報をスキャナーで読み取り、その情報と識別情報部６１０の情報とを確認することで交換されたことを発見することができる。
【０１７９】
上記構成によれば、制御基板８０を収容する外側ケース７０と内側ケース８５とを跨ぐようにしてＩＣタグユニット６０５を有する封印シール６０１が貼り付けられているので、第１制御基板ボックス２０１Ａを開封するためには、矩形状突起部８５１から封印シール６０１を剥がし当該矩形状突起部８５１のネジ固定を解除する必要がある。この場合に、封印シール６０１をその隅角から剥がしていくと、剥がす力に伴う応力が基材層６０２の隅角部分に集中し、基材層６０２は適度な脆性を有しているので、基材層６０２が大きく破壊されることとなる。また、封印シール６０１の外縁には、内側から外側端部に向けて鋭角のＶ字状に開いた外縁切り込み６０８が形成されているので、封印シール６０１をその隅角から剥がしていくと、剥がす力に伴う応力が外縁切り込み６０８の内側端部（内側に尖った部位）に集中し、基材層６０２がより破壊されやすくなっている。さらに、封印シール６０１が第１制御基板ボックス２０１Ａの矩形状突起部８５１に対して略コ字状に折り曲げて貼り付けられているので、封印シール６０１をその隅角から剥がしていくと、剥がす力に伴う応力が折り曲げ部分に集中し、同様に基材層６０２が大きく破壊されることとなる。この場合、封印シール６０１が不正に剥がされたこと、即ち、制御基板８０に対して不正が行われたことの痕跡が明確に残ることとなる。よって、制御基板８０に対して不正を行おうとする者は、封印シール６０１の一辺全体からその辺に直交する方向に沿って剥がすことで、剥がす力に伴う応力を基材層６０２の一辺全体に分散させ、ベース部材が極力破壊されないようにすることとなる。ところが、アンテナ６０５ｂをその長手方向が封印シール６０１のすべての辺方向と交差するように配置する構成とすることにより、封印シール６０１をその一辺全体から剥がそうとすると、アンテナ６０５ｂの長手方向と交差する方向に破壊が生じる。そして、アンテナ６０５ｂが長尺状であり、アンテナ６０５ｂの長手方向と交差する方向の寸法は短くなっていることにより、破壊が生じた位置にてアンテナ６０５ｂが分断されることとなる。この場合、遊技ホールの管理者等がスキャナーによりＩＣチップ６０５ａに格納されたＩＤ情報を確認できなくなるため、主基板に対して不正が行われたことを容易に且つ確実に発見することができる。
【０１８０】
また、上記のとおり、アンテナ６０５ｂを基材層６０２の一隅部側からその対角方向の隅部側に亘って延びるように配置する構成とすることにより、アンテナ６０５ｂを基材層６０２の一辺に沿って設ける構成に比べ、アンテナ６０５ｂの長さ寸法が大きく確保されている。よって、封印シール６０１が剥がされた場合におけるアンテナ６０５ｂの分断が生じる機会を多く設けることができる。
【０１８１】
また、ＩＣチップ６０５ａをアンテナ６０５ｂの長手方向の略中央に配置する構成とすることにより、上記のとおりアンテナ６０５ｂが封印シール６０１の一隅部側からその対角方向の隅部側に亘って配置された構成においてはＩＣチップ６０５ａの位置は封印シール６０１の中央付近となる。よって、ＩＣチップ６０５ａの厚みに起因して封印シール６０１が剥がし易くなることを抑制することができる。即ち、ＩＣチップ６０５ａは所定の厚みを有するため、封印シール６０１におけるＩＣチップ６０５ａの周囲と第１制御基板ボックス２０１Ａの矩形状突起部８５１との間には隙間が生じることとなる。この場合に、ＩＣチップ６０５ａが封印シール６０１の外縁側にあるとその外縁と第１制御基板ボックス２０１Ａの矩形状突起部８５１との隙間に指を掛けることで封印シール６０１が剥がし易くなる。これに対して、ＩＣチップ６０５ａの位置が封印シール６０１の中央付近であることにより、ＩＣチップ６０５ａの厚みに起因して封印シール６０１の外縁と第１制御基板ボックス２０１Ａの矩形状突起部８５１との間に隙間が生じることはない。
【０１８２】
また、基材層６０２におけるアンテナ６０５ｂの周囲にアンテナ用切り込み６０６を形成する構成とすることにより、封印シール６０１が剥がされた場合にアンテナ用切り込み６０６の端部から基材層６０２が破壊されるのに伴ってアンテナ６０５ｂも破壊され、その位置にてアンテナ６０５ｂが分断されることとなる。よって、アンテナ６０５ｂが分断され易くなり、主基板に対して不正が行われた場合の発見をより確実に行うことができる。特に、アンテナ用切り込み６０６をアンテナ６０５ｂの長手方向及び基材層６０２のすべての辺方向に対して交差する方向に延びる線状の切り込みとすることにより、封印シール６０１がその一辺に沿う方向に剥がされた場合の剥がす力に伴う応力がアンテナ用切り込み６０６のアンテナ側端部に集中し易くなる。これにより、封印シール６０１がその一辺に沿う方向に剥がされた場合のアンテナ６０５ｂの分断をより確実に発生させることができる。なお、アンテナ用切り込み６０６はアンテナ６０５ｂに達する位置まで形成されているので、封印シール６０１が不正に剥がされた場合にアンテナ６０５ｂが分断され易い構成となっている。また、アンテナ用切り込み６０６がアンテナ６０５ｂを挟んで直線上に並ばないように形成されていることにより、例えば、遊技機の製造時における封印シール６０１の貼り付け作業時などといった不正と関係のない場合にアンテナ６０５ｂを挟んで位置するアンテナ用切り込み６０６が繋がりそれに伴ってアンテナ６０５ｂが分断されてしまうことを抑制することができる。
【０１８３】
また、封印シール６０１の４隅に、基材層６０２の表面側から粘着材層６０３の背面側まで貫通するＬ字状の隅部切り込み６０７をそれぞれ形成する構成とすることにより、封印シール６０１がその隅角側から剥がされた場合には、剥がす力に伴う応力が隅部切り込み６０７の端部に集中し、隅部切り込み６０７から封印シール６０１に破れなどといった破壊が生じる。よって、制御基板８０に対して不正が行われたことの痕跡が封印シール６０１に残り、当該不正が行われたことを容易に発見することができる。また、当該隅部切り込み６０７を介した封印シール６０１の破壊を回避すべく、封印シール６０１の一辺に沿う方向に当該封印シール６０１が剥がされたとしても、上記のとおりアンテナ６０５ｂの分断が生じるので不正を容易に発見することができる。
【０１８４】
なお、粘着材層６０３を構成する粘着剤に対して溶解性を示す溶剤が封印シール６０１にかけられたり塗布されたりした場合、基材層６０２が変色する構成とすることにより、溶剤により粘着材層６０３の接着力を弱めアンテナ６０５ｂを分断させることなく封印シール６０１を剥がし制御基板８０に対して不正行為が行われたとしても、当該不正行為が行われたことを容易に発見することができる。また、封印シール６０１に対して所定温度以上の熱が加えられた場合も同様に、基材層６０２が変色する構成とすることにより、所定温度以上の熱を加えることにより粘着材層６０３の接着力を弱めアンテナ６０５ｂを分断させることなく封印シール６０１を剥がし制御基板８０に対して不正行為が行われたとしても、当該不正行為が行われたことを容易に発見することができる。
【０１８５】
また、上記カバー部材５０１の外側面における自由端部には、図１１に示すように、矩形状凹部５１８が形成されている。この矩形状凹部５１８は、前記連結取付台座部材４３０の長さ（約４８ｍｍ）および厚み（約１３ｍｍ）にそれぞれほぼ等しい長さ（カバー部材５０１の長手方向に沿った長さ）および深さを有し、図９に示すように、内部に連結取付台座部材４３０をほぼ隙間なく収容することができ、収容状態で該連結取付台座部材４３０の外側面（開放側面）とカバー部材５０１の外側面とが面一となるようになっている。これにより、第１制御基板ボックス２０１Ａとの間にできる限り間隙が形成されないようになっている。
【０１８６】
（カバー部材の一部変形例）
図２３に示すように、上記カバー部材５０１の内部に形成するリブの数を少なくするようにしてもよい。図２３に示す例では、リブの形成が前記実施例の場合よりも大幅に少なく、これに応じて区画された室数も少なくなっている。さらには、カバー部材５０１の内部にリブを形成せず、内部空間を区画しないようにしてもよく、あるいは、カバー部材の内部に適宜な材料を充填して内部空間を実質的になくすようにしてもよい。
【０１８７】
また、上記図２３に示す例では、カバー部材５０１内の壁面に、第２封止部５２０Ｂ用の破断ネジ５２２を収容する破断ネジ収容部５２１が、ここでは３個形成されており、そこに破断ネジ５２２がそれぞれ１本づつセットされるようになっている。これにより、カバー部材５０１の封止を解除して開放するごとに、破断ネジを１本ずつ取り出し第２封止部５２０Ｂの３箇所の破断ネジ挿通部５１５、５１６に挿通・螺合して次の封止を行うようにすることができ、未使用の破断ネジ５２２は封止した状態のカバー部材５０１の内部に確実に保持しておくことができる。この破断ネジ収容部５２１は、例えば、１本の破断ネジのみを収容する構成としてもよく、この場合にも、破断ネジを未使用の段階ではカバー部材の内部に保持しておくことができる。
【０１８８】
また、上記パチンコ機１０においては、カバー部材５０１の一方端部およびこれに対応する球集合板４６０の位置に、第１および第２封止部５２０Ａ、５２０Ｂで構成される封止手段を設けた構造としていたが、これと同様のまたは異なる封止手段を他方端部にも設け、これにより、カバー部材５０１の両端部を封止した状態で固定する構造とするようにしてもよい。この場合、前記カバー部材５０１の開閉構造（回動可能に軸支した構造）を設けた端部にさらに封止手段を設けるようにしてもよいが、両端部が封止手段により固定されるため、開閉構造は省略することができる。
【０１８９】
上記パチンコ機１０においては、遊技盤３０の裏面の球集合板４６０の裏面を覆うようにカバー部材５０１が設けられていることにより、球集合板４６０の裏面に配置された中継基板、配線等の電気部品を保護することができ、他の電気部品の組み付け、或いは外部からの他物の接触による電気部品の破損、断線が防止できるのである。  即ち、パチンコ機１０の組立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると、作業性が良好となるが、このような場合に、電気部品も少なくとも一部がカバー部材５０１で覆われるようにすることで、電気部品がカバー部材５０１によって保護され、取り付け作業時に電気部品が破損されることが防止される。
【０１９０】
又、遊技盤３０の裏面と第１制御基板ユニット２０１との間の間隙が補填され、これによって、不正行為を行い得るようなスペースが形成されないようになっている。
さらに、このカバー部材５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１９１】
さらに、封止手段が第１封止部５２０Ａと第２封止部５２０Ｂとを有し、第１封止部５２０Ａが、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、カバー部材５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的としてカバー部材５０１を開放する場合に、切断部５１４Ａを切断することによって痕跡を残しながらカバー部材５０１の封止状態を解除することができる。また、球集合板４６０が遊技盤３０に取り付けられていない状態ではカバー部材５０１を自在に開放し得るため、作業性が良好である。
【０１９２】
さらに、第２封止部５２０Ｂが、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、カバー部材５０１を破断ネジ５２２により球集合板４６０に外側から固定することができ、これにより、容易にカバー部材５０１を封止した状態で固定することができる。このとき、前記球集合板４６０が遊技盤３０に取り付けられた状態であっても、カバー部材５０１を破断ネジ５２２により球集合板４６０に外側から封止・固定することができるので、たとえば前記第１封止部５２０Ａによる封止状態を解除した後に、第２封止部５２０Ｂによって再度カバー部材５０１と球集合板４６０とを封止することができる。一方、たとえば球集合板４６０の裏側の点検などを目的としてカバー部材５０１を開放する場合には、切断部５１５Ａ、５１６Ａを切断することによって痕跡を残しながらカバー部材５０１の封止状態を解除することができる。
【０１９３】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、またカバー部材５０１は封止した状態で固定されているため、破断ネジ挿通部５１５を取り除こうとしても痕跡を残さずにこれを取り除くことは困難となっている。したがって不正行為がさらに効果的に防止される。
【０１９４】
さらに、カバー部材５０１の内部に、第２封止部５２０Ｂ用の破断ネジ５２２を１本またはそれ以上収容する破断ネジ収容部５２１が配設されていることにより、破断ネジ収容部５２１に破断ネジ５２２を収容しておくようにすれば、カバー部材５０１の封止を解除して開放するごとに、破断ネジ５２２を１本ずつ取り出して次の封止を第２封止部５２０Ｂで行うようにすることができ、未使用の破断ネジ５２２がある段階ではこれを封止した状態のカバー部材５０１の内部に確実に保持しておくことができる。
【０１９５】
さらに、カバー部材５０１のコーナー部に第１封止部５２０Ａが設けられ、コーナー部以外に第２封止部５２０Ｂが設けられていることにより、第１封止部５２０Ａによってカバー部材５０１をコーナー部で容易かつ確実に封止することができるとともに、このカバー部材５０１の封止を第２封止部５２０Ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１９６】
さらに、カバー部材５０１が中空体に成形され、内部がリブ５１２により多数の室に区画された構成としたことによって、カバー部材５０１の内部に不正基板を設置するのに十分なスペースが形成されておらず、したがって不正行為を効果的に防止することができる。
【０１９７】
さらに、カバー部材５０１が、球集合板４６０に対向する面が開放された構成としたことにより、カバー部材５０１を閉じた状態では上記開放された面も球集合板４６０に当接して閉塞されるため、カバー部材５０１の内部に不正基板を設置する等の不正行為は困難となっている。このとき、前記したようにカバー部材５０１の内部がリブ５１２により多数の室に区画されていても、カバー部材５０１の開放部分が外部に露出しておればそこからリブ５１２を切断して不正行為のためのスペースを確保されるおそれがあるが、上記のようにカバー部材５０１の開放面を球集合板４６０に対向させることにより、リブ５１２を切断することも困難となっている。
【０１９８】
さらに、カバー部材５０１と第１制御基板ユニット２０１とが、たがいに左右逆方向に開閉される開閉構造を有する構成としたことにより、カバー部材５０１および第１制御基板ユニット２０１のそれぞれを開放した状態における荷重が左右いずれか一方の端部に集中せず、左右両端部に分散することとなる。よって、たとえば点検などに際してカバー部材５０１および第１制御基板ユニット２０１を開放する場合等に、これらカバー部材５０１および第１制御基板ユニット２０１の荷重により球集合板４６０に変形が生じるといった不具合が防止される。球集合板４６０に変形が生じると、遊技球の排出に不具合をきたすおそれがある。
【０１９９】
さらに、第１制御基板ユニット２０１の一方端部が軸４１１により回動可能に枢着され、カバー部材５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、カバー部材５０１が不正に取り外されたとした場合、第１制御基板ユニット２０１の自由端部が保持されずに遊離した状態となるため、不正行為が容易に発覚することとなり、したがって不正を行うことがより困難となる。
【０２００】
また、パチンコ機１０の組み立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がカバー部材５０１で覆われるようにすることで、電気部品がカバー部材５０１によって保護され、取り付け作業時に電気部品が破損されることが防止される。
なお、図２２には、球集合板４６０にカバー部材５０１および第１制御基板ユニット２０１を取り付けた状態が示されており、このように、球集合板４６０、カバー部材５０１および第１制御基板ユニット２０１を一体とした状態で遊技盤３０に取り付けるという工程も可能であり、パチンコ機１０の組み立て方法は特定のものに限定されないが、前記のように球集合板４６０およびカバー部材５０１をユニットとして遊技盤３０に取り付けた後に第１制御基板ユニット２０１を取り付けるという工程の作業性がとりわけ良好である。
【０２０１】
（特徴構成）
本実施形態のパチンコ機１０においては、前述の通り、基板ボックスである第１制御基板ボックス２０１Ａが遊技盤３０の裏面側に配設され、取付台座に相当する連結取付台座部材４３０に該第１制御基板ボックス２０１Ａを連結して取り付けるのに、破断ネジが使用されている。第１制御基板ボックス２０１Ａおよび連結取付台座部材４３０には、それぞれ第１取付台座封止部４５０および第２取付台座封止部４３２が設けられており、該第１取付台座封止部４５０と第２取付台座封止部４３２とを破断ネジ４３９で連結し封止することにより、第１制御基板ボックス２０１Ａが連結取付台座部材４３０に連結封止されるようになっている。
【０２０２】
上記破断ネジ４３９は、冷間圧造用炭素鋼線（ＳＷＣＨ）よりなり、図２８に示すように、頭部４９１および軸部４９２で構成され、頭部４９１は、先端面にネジ穴（図示せず）が形成された分離部６１３と頭部本体６１４とが、先端側からこの順に軸方向に並ぶように連続的に形成された構成となっており、頭部本体６１４からは軸部４９２が延出している。該分離部６１３および頭部本体６１４はいずれも基本的に円柱形状となっており、分離部６１３よりも頭部本体６１４のほうがやや大径となっているが、これらの境界部においては、互いに向けてテーパ状に漸次細径化し、これにより、くびれ状の細径部６１５が形成されている。
【０２０３】
分離部６１３は、先端側から円柱形状に延び、軸部側端部でやや拡径して、上述のようにテーパ状に漸次細径化する形状となっており、これにより、円柱形状部分とテーパ状部分との間にフランジ部６１６が形成されている。
【０２０４】
頭部本体６１４には、やや分離部６１３側寄りの位置に、径方向に延出する鍔部６１７が形成されている。また、頭部本体６１４の軸部４９２形成側端面には、ゆるみ止めのための、放射状に延びる多数の刻み目よりなるナール６１８が形成されている。
【０２０５】
軸部４９２は、図２９の部分拡大図に示すように、ネジ山６１９に切欠６２０が形成された構成となっている。各切欠６２０は、ネジ山６１９を周縁から平面視概略台形状に切り欠いてなる角型の切欠となっており、ネジ山６１９の周方向に等間隔に（９０°毎に）４箇所に形成され、これら４箇所においてそれぞれ軸部４９２の軸方向に一直線に整列するように形成されている。破断ネジ４３９を前記第１取付台座封止部４５０に螺入すると、該第１取付台座封止部４５０の構成材料である樹脂が上記切欠６２０に食い込み、これにより破断ネジ４３９の緩みが効果的に防止される。
【０２０６】
上記破断ネジ４３９の頭部４９１には、図２８に示す収容部材６２１が嵌着される。収容部材６２１は、硫黄快削鋼（ＳＵＭ）よりなり、概略円筒形状のホルダとなっている。該収容部材６２１の一方端面部には、前記破断ネジ４３９の分離部６１３における円柱形状部の径よりもわずかに大きくかつフランジ部６１６の外径より小さい径を有する操作孔６２２が穿設され、該操作孔６２２の下には、フランジ部６１６の外径より大きくかつ鍔部６１７の外径より小さい径を有するフランジ部収容腔６２３が連続的に形成され、該フランジ部収容腔６２３の下には、鍔部６１７の外径よりもわずかに大きい径を有する鍔部収容腔６２４が連続的に形成され、これにより該収容部材６２１の内部が、操作孔６２２から段階的に拡径する形状となっている。
【０２０７】
上記収容部材６２１における鍔部収容腔６２４側先端縁部は、外径が若干小さくなるようにやや窄まる形状となっており、これにより薄肉部６２５が形成されている。本実施形態では、収容部材６２１における鍔部収容腔６２４側先端縁部が、外周を縮小させるようにして薄肉とされているが、後でも述べるように、このような場合は切削加工により薄肉部６２５を形成しやすく、一方、これとは逆に、内周を拡大させるようにして薄肉とすることも可能であるが、このような場合にはヘッダ加工により薄肉部を形成しやすい。
【０２０８】
上記フランジ部収容腔６２３の周面上における１箇所の鍔部収容腔６２４側端部には、磁界発生部６２６が設けられている。該磁界発生部６２６は、一側面がフランジ部収容腔６２３の内周面に沿って湾曲する凹入面となっている概略直方体状であって強力な磁力を有する永久磁石よりなり、フランジ部収容腔６２３の周面上における一箇所において鍔部収容腔６２４に接する端縁部に嵌着され、該フランジ部収容腔６２３の内周面から中心部にむけてやや突出するようにして配置されている。
【０２０９】
上記収容部材６２１内には、鍔部収容腔６２４側から破断ネジ４３９の頭部４９１を挿入し、この後、図３０（ａ）に示すように、前記薄肉部６２５をプレスして内側に折曲するように変形加工する。これにより、操作孔６２２形成側と反対側における周壁の端縁から、収容部材６２１の中心にむけて内側へ延出し、中心部に鍔部６１７の外径より小さい孔径を有する挿通孔６２７が形成された掛合リブ６２８が形成される。前述の通り、操作孔６２２の径は破断ネジ４３９の分離部６１３におけるフランジ部６１６の外径より小さいため、該フランジ部６１６が操作孔６２２に掛合して該破断ネジ４３９の頭部４９１が操作孔６２２から外部へ抜け出すことはできない一方で、鍔部６１７が掛合リブ６２８の挿通孔６２７に掛合して該破断ネジ４３９の頭部４９１が挿通孔６２７から外部へ抜け出すことはできず、したがって該破断ネジ４３９の頭部４９１が収容部材６２１内に収容された状態に確実に保持される。この状態では、破断ネジ４３９の頭部４９１は、分離部６１３における円柱形状部が操作孔６２２に嵌合し、ネジ穴（図示せず）が形成された先端面が操作孔６２２から露出した体勢に保持され、収容部材６２１内に回転自在に保持されている。
【０２１０】
上述のようにして収容部材６２１を嵌着した破断ネジ４３９は、図３０（ａ）に示すように、操作孔６２２から露出した頭部４９１における先端面のネジ穴（図示せず）にドライバＤＲ１を嵌入して回転させることにより、螺入対象部である第１取付台座封止部４５０および第２取付台座封止部４３２に螺入する。
【０２１１】
このとき、前述の通り破断ネジ４３９の頭部４９１は収容部材６２１内に回転自在に保持されているので、該収容部材６２１を外側から把持しながら破断ネジ４３９をドライバＤＲ１で回すことができて螺入操作が行いやすい。即ち、破断ネジ４３９が第２取付台座封止部４３２の内部にほぼ収容された状態では収容部材６２１を外側から把持することは困難であるが、それ以前の段階では、収容部材６２１をつまむように把持しながら破断ネジ４３９をドライバＤＲ１で回すことができ、したがって螺入操作がしやすく、換言すれば、収容部材６２１が螺入操作の際の破断ネジ４３９の支持具（支え）としても機能することができる。
【０２１２】
破断ネジ４３９を締結（本締め）するまで螺入すると、前記ナール６１８が第２取付台座封止部４３２の表面に圧し付けられるとともに、第１取付台座封止部４５０および第２取付台座封止部４３２のそれぞれを構成する樹脂が前記切欠６２０に食い込み、これにより破断ネジ４３９に緩み止めがなされる。この後、さらに大きい高トルクで回転させると、図３０（ｂ）に示すように、破断ネジ４３９の頭部４９１が前記細径部６１５で破断し、分離部６１３が頭部本体６１４から分離する。
【０２１３】
分離した後の分離部６１３は、前述の通りフランジ部６１６が操作孔６２２に掛合して外部へ抜け出すことができない状態にあるため、引き続き収容部材６２１内に拘束されて留まり、さらに、前述の通り収容部材６２１のフランジ部収容腔６２３の周面上における１箇所の鍔部収容腔６２４側端部には磁界発生部６２６が設けられているので、該磁界発生部６２６によって、分離部６１３が破断ネジ４３９の頭部本体６１４と収容部材６２１の操作孔６２２との間の位置に保持されるが、分離部６１３は一定の余裕（遊び）をもって収容されるので、そのぶん、収容部材６２１内で多少の遊動が可能な状態で保持される。このとき、分離部６１３の破断面側端部が図３０（ｂ）中の矢印に示すように磁界発生部６２６の磁力により一方側へ強力に吸引されるので、分離部６１３は、図３０（ｂ）に示すように、円柱形状部が操作孔６２２に嵌合した状態を保持しながら、破断面側端部が一方側へ引き寄せられるようにして傾斜し、以降この傾斜体勢に保持されることとなる。
【０２１４】
上記分離部６１３は、収容部材６２１内に覆われ、かつ磁界発生部６２６の磁力により引き付けられることによって、脱落が確実に防止される。また、分離部６１３が分離しているため、頭部本体６１４はもはやドライバによっては逆回しして緩めることができない。さらにこのとき、仮に、例えば外部から操作孔６２２を通してペンチ等を挿入し頭部本体６１４を把持したり、あるいは棒状の不正具を挿入してその先端を頭部本体６１４に接着剤で接合したりして、該頭部本体６１４強引に逆回ししようとしても、分離した後の分離部６１３が磁界発生部６２６により破断ネジ４３９の頭部本体６１４と収容部材６２１の操作孔６２２との間の位置に保持されていることにより、該分離部６１３が障害となって外部からペンチや不正具を頭部本体に届かせることができず、したがって破断ネジ４３９による連結状態を不正に解除することは困難となっている。
【０２１５】
また、分離した後の分離部６１３が収容部材６２１により周囲からも包囲されるようにして保持されていることにより、確実に脱落が防止されているとともに、頭部本体６１４も確実に閉塞されて外部からの不正な操作が及ぶことが困難となっている。
【０２１６】
また、破断ネジ４３９の分離部６１３の外径と収容部材６２１の内径とが適宜範囲内に設定されていることにより、破断ネジ４３９による連結状態を不正に解除することが防止されるようになっている。
【０２１７】
例えば仮に、図３１（ａ）に模式的に示すように破断ネジの分離部Ｐ１１の外径Ｄ１１が収容部材Ｈ１２の内径Ｄ１２の１／２未満（即ち収容部材Ｈ１２の内径Ｄ１２が破断ネジの分離部Ｐ１１の外径Ｄ１１の２倍より大）となっていた場合、同図に示すように分離部Ｐ１１が収容部材Ｈ１２の内部で中心からずれて偏って位置すると、破断ネジの頭部本体Ｐ１２の中心Ｏ１２が分離部Ｐ１１により覆われず、したがって前記のように棒状の不正具を挿入しその先端を接着剤で接合して頭部本体Ｐ１２を強引に逆回しすることも可能な状態となる。即ち、分離部Ｐ１１が不正具の進入に対して障害として機能しなくなる。
【０２１８】
これに対し、本実施形態では収容部材６２１の内径が破断ネジ４３９の分離部６１３の外径の２倍以下となっており、したがって、分離部６１３が収容部材６２１の内部で偏って位置したとしても、頭部本体６１４の位置から側方に大きくずれることはなく、該分離部６１３が頭部本体６１４の中心を覆い十分に障害として機能し得る範囲内に留まることとなって、該頭部本体６１４に不正具を近づけることは困難となっている。
【０２１９】
一方、仮に、図３１（ｂ）に模式的に示すように破断ネジの分離部Ｐ２１の外径が収容部材Ｈ２２の内径にほぼ等しくなっていた場合、該分離部Ｐ２１が分離した後も収容部材Ｈ２２の内部で頭部本体（図示せず）の中心に対して中心がほぼ揃った同心状態に保持されることとなる。この同心状態では、例えば、ドライバで分離部Ｐ２１を頭部本体に強く圧しつけるようにしながら逆回しすると、破断面同士の間に摩擦力が働き、分離部Ｐ２１とともに頭部本体も回転してしまう場合がある。
【０２２０】
これに対し、本実施形態では、前述の通り破断ネジ４３９の分離部６１３が一定の余裕（遊び）をもって収容部材６２１の内に収容されており、即ち該分離部６１３の外径は収容部材６２１の内径より小さくなっているので、該分離部６１３はこの余裕（遊び）のぶんだけ収容部材６２１内で遊動することができ、この状態で、該分離部６１３は、磁界発生部６２６により吸引されることによって頭部本体６１４の中心からずれて偏心した状態に保持されるため、いくら分離部６１３を頭部本体６１４に強く圧しつけるようにしながら逆回ししたとしても、頭部本体６１４を回転させることは困難となっている。
【０２２１】
以上のことから、本実施形態においては、破断ネジ４３９の分離部６１３の外径が、収容部材６２１の内径の１／２より大きく、かつ収容部材６２１の内径より小となるように設定されている。
なお、「破断ネジ４３９の分離部６１３の外径と収容部材６２１の内径」とは、厳密には、「分離部６１３における円柱形状部の外径と収容部材６２１における操作孔６２２の内径」ならびに「分離部６１３におけるフランジ部６１６の外径と収容部材６２１におけるフランジ部収容腔６２３の内径」のいずれをも含意するが、いずれにおいても上述の大小関係は満たすものとなっている。
【０２２２】
さらに、分離した後の分離部６１３が、磁界発生部６２６により吸引されることによって頭部本体６１４に対し傾斜した体勢に保持されているので、たとえ分離部６１３を回転させたとしても、回転軸の方向が一致していないため頭部本体６１４を回転させることは困難であり、したがって外部から頭部本体６１４を回転させることがより困難となっている。
【０２２３】
また、分離した後の分離部６１３が操作孔６２２に嵌合した体勢に保持されることにより該操作孔６２２が閉塞された状態に保持されているため、該分離部６１３が確実に障害として機能することができ、操作孔６２２から頭部本体６１４に不正具を近づけることが効果的に防止されている。
【０２２４】
また、前記掛合リブ６２８の挿通孔６２７は破断ネジ４３９の頭部本体６１４の外径より大きい孔径を有し、図３０（ｂ）に示すように、前記鍔部６１７は、破断ネジ４３９の頭部本体６１４における軸部４９２側端から、掛合リブ６２８の厚さｔ１０より大きい間隔ｄ１０をおいた位置に形成されている。これにより、掛合リブ６２８が、破断ネジ４３９の頭部本体６１４における軸部４９２側端が当接する第２取付台座封止部４３２の表面と鍔部６１７との間に、多少の余裕（ｄ１０−ｔ１０）をもって掛合することとなり、したがって、破断ネジ４３９を締結した状態でも、収容部材６２１が破断ネジ４３９に対して自由に回転すること、即ち自在に空転（空回り）することが可能な状態に保持されるため、破断ネジ４３９を外部から逆回しすることを確実に防止することができる。仮に、上記のような余裕がない（即ちｔ１０＝ｄ１０）とすると、収容部材６２１を回転させると破断ネジ４３９に対して空転せずに該破断ネジ４３９をともに回転させ、その結果、外部から収容部材６２１を回転させることで破断ネジ４３９を緩めることが可能となってしまうこともあると考えられる。
本実施形態においては、第２取付台座封止部４３２が、円筒形状の収容部材６２１に対応して基本的に丸形の周壁を有し、該収容部材６２１をできる限り隙間なく包囲し得る構成となっており、これによって外部から収容部材６２１を回転させ難いようになっているが、上記のように収容部材６２１を空転させる構成とすることで、破断ネジ４３９を緩めることをさらに確実に防止することができる。さらには、例えば、収容部材６２１が比較的大きい隙間をあけて包囲される場合や、あるいは、収容部材６２１が周壁等により包囲されずに露出している場合には、該収容部材６２１が外部から回転させやすい状態となるため、上記のように収容部材６２１を空転させる構成とすることが特に有用である。
【０２２５】
以下、ヘッダ（圧造機）により破断ネジを作製する工程の一例を簡略に順次説明する。
【０２２６】
（１）まず、コイル材（線材）を所定長に切断する。
【０２２７】
（２）ついで、図３２（ａ）に示すように、ヘッダに上記切断したコイル材Ｓ１１をセットしてヘッダ加工を行い、該コイル材Ｓ１１の一部を径方向に膨出させて、頭部本体Ｓ１２を形成し、また、図３２（ｂ）に示すように、該コイル材Ｓ１１の一方端面に、プラスのネジ穴Ｓ１５を形成する一方、図３２（ｃ）に示すように、頭部本体Ｓ１２において前記ネジ穴Ｓ１５から遠い側の端面に、ナールＳ１７を形成する。
【０２２８】
（３）ついで、図３２（ｄ）に示すように、さらにヘッダ加工を行い、上記頭部本体Ｓ１２における前記ナールＳ１７形成側と反対側の端部（即ち前記ネジ穴Ｓ１５に近い側の端部）をさらに径方向に膨出させて、鍔部Ｓ１３を形成する。
【０２２９】
（４）ついで、図３２（ｅ）に示すように、上記頭部本体Ｓ１２における前記ナールＳ１７形成側端部から延びる丸棒部（即ち前記ネジ穴Ｓ１５形成側と反対側の丸棒部）に切削加工によりネジ山を削成して、軸部Ｓ１４を形成する。
【０２３０】
（５）ついで、図３２（ｆ）に示すように、前記ネジ穴Ｓ１５形成側の丸棒部に、くびれ状の細径部Ｓ１６を形成する。
【０２３１】
上記のようなヘッダ加工を用いた方法により、破断ネジを容易に作製することができる。
【０２３２】
また、図２８および図３０に示す収容部材６２１をヘッダ加工（圧造成形）により作製する工程について、以下に記述する。
【０２３３】
まず、炭素鋼等の金属よりなるコイル材（線材）を所定長に切断し、収容部材６２１のベースとなる円柱状の金属材を成形する。
【０２３４】
切断後、その円柱状の金属材に対し圧力を加えることにより、鍔部収容腔６２４、フランジ部収容腔６２３、薄肉部６２５および操作孔６２２の順に成形する。この場合、これら複数の部位を同時に成形する（一度の加圧により成形する）ことも可能であるが、薄肉部６２５の成形時には特にひび割れ等が生じる可能性が高いため、少なくとも薄肉部６２５については別個に低速で加圧して成形することが好ましい。
【０２３５】
なお、ヘッダ加工により薄肉部６２５を形成する場合、収容部材６２１の内周面に段差状に形成することが好ましい。このようにすれば、加圧時の金属材の保持が容易となるため、外周面に形成する場合と比較して容易に薄肉部６２５を成形することができる。
【０２３６】
また、薄肉部６２５は、切削により成形することも可能である。この場合には、収容部材６２１の外周面に段差状に形成することが好ましい。このようにすれば、収容部材６２１の外周面に対し工具を径方向に向けて当てた状態で収容部材６２１を回転させ切削することができるため、内周面に形成する場合と比較して工具の配置が容易となるとともに、薄肉部６２５の厚みにばらつきを生じさせないようにすることができる。ただし、薄肉部６２５は本実施形態のように端部から次第に厚みを増していく（段差ではなく曲面とする）のが望ましい。この場合には、各部位に発生する応力を一定に近づけることが可能となり、破断ネジ４３９と収容部材６２１とを一体化させる場合に薄肉部６２５が破損することを防止できる。
【０２３７】
（作用）
上述の通り、本実施形態のパチンコ機１０においては、回転操作を行うための操作器具であるドライバＤＲ１が係合される係合部であるネジ穴を有し締結に必要なトルクよりさらに大きいトルクで回転させると破断して分離し得る部位である分離部６１３が頭部に形成された破断ネジ４３９によって、２点の構成部材すなわち第１制御基板ボックス２０１Ａと連結取付台座部材４３０とが連結された構成において、上記破断ネジ４３９が磁性体である鋼材よりなり、分離した上記分離部６１３を磁力により遊技機の所定箇所すなわち収容部材６２１内に保持する磁気手段として、永久磁石よりなる磁界発生部６２６を備える構成としたので、破断ネジ４３９を用いて第１制御基板ボックス２０１Ａと連結取付台座部材４３０とを連結した際に分離部６１３を分離させても、該分離部６１３は収容部材６２１内に保持しておくことができ、したがってゴミとならず、処理する手間も不要となっているとともに、遊技機内の隙間から入り込むこともないため、不具合も生じ難くなっている。
【０２３８】
また、上記破断ネジ４３９の締結位置が、磁界発生部６２６が磁力を及ぼし得る範囲内に配置されている。磁気手段としては、例えば仮に、破断ネジの締結位置からやや離隔した所定箇所に配置しておき、破断ネジから分離した後の分離部をこの磁気手段のところへ持っていって磁力により保持しておく構成としたとしても、該分離部を所定箇所に保持しておくことができる以上、該分離部をゴミとせず、また遊技機内の隙間から入り込むこともないようにすることができる点で、磁気手段として所要の機能を果たすことができると考えられる。これに対し、本実施形態のパチンコ機１０においては、破断ネジ４３９の締結位置が、磁界発生部６２６が磁力を及ぼし得る範囲内に配置されているので、分離部６１３が分離した後ただちに磁界発生部６２６に保持されるため、該分離部６１３を磁気手段のところへ持っていく手間も不要となっていて作業がより容易となっており、また磁気手段のところへ持っていくまでに誤って落としたりすることもないことから、より確実に保持しておくことができる。
【０２３９】
また、構成部材としての第１ケースである外側ケース７０と第２ケースである内側ケース８５との間に制御基板８０を収容した構成を有する第１制御基板ボックス２０１Ａを備え、該第１制御基板ボックス２０１Ａの一側部分すなわち矩形状突起部８５１形成側部分が、外部との電波の送受信が可能に構成された封印シール６０１を貼付することにより封印され、上記第１制御基板ボックス２０１Ａの他側部分すなわち連結取付台座部材４３０との連結部分に、前記磁界発生部６２６が配置されている。ここで仮に、破断ネジの分離部を保持する磁気手段と封印シールとが互いに近接して配置された構成となっていたとすると、磁気手段の磁力による影響が封印シールに及んで電波の送受信が阻害され、その結果、封印シールによって不正行為の有無を正しく検知することができなくなると考えられる。これに対し、本実施形態のパチンコ機１０においては、磁界発生部６２６と封印シール６０１とが、第１制御基板ボックス２０１Ａにおいて相対向する互いに離れた左右両端部にそれぞれ配置されているため、磁界発生部６２６の磁力による影響が封印シール６０１に及び難く、したがって電波の送受信が磁力により阻害されることなく封印シール６０１が正確に作動することができる。
【０２４０】
また、一方向の幅が他に比べて大きい形状を有する第１制御基板ボックス２０１Ａを遊技盤３０の裏面側に沿って備え、該第１制御基板ボックス２０１Ａの長さ方向における中央部に対応する前方位置に始動口３３に対応する入賞装置（始動入賞装置）の入球検出センサが配置され、上記第１制御基板ボックス２０１Ａの長さ方向における端部である連結取付台座部材４３０との連結部分に、前記磁界発生部６２６が配置されている。上記第１制御基板ボックス２０１Ａは、正面視概略横長の長方形状の箱体となっていて、遊技盤３０の始動口３３の裏側の位置に、該始動口３３と前後方向に重なるようにして配置されている。ここで、例えば、該第１制御基板ボックス２０１Ａの長辺部すなわち上端縁部または下端縁部を破断ネジを用いて封止することも可能であるが、この場合、該第１制御基板ボックス２０１Ａの中央部の前方には始動口３３が位置しているから、破断ネジの近傍に磁気手段が配置されると、始動入賞装置の入球検出センサと磁気手段とが比較的に近接し、磁気手段の磁力が該入球検出センサに悪影響を及ぼすこととなりやすい。これに対し、本実施形態のパチンコ機１０においては、第１制御基板ボックス２０１Ａの長さ方向において入球検出センサからできる限り離れた位置となる端部すなわち連結取付台座部材４３０との連結部分である右端の短辺部に磁気手段である磁界発生部６２６が配置されているので、始動入賞装置の入球検出センサと磁界発生部６２６とが大きく離隔していて磁界発生部６２６の磁力による影響が該入球検出センサに及び難い構成となっている。
【０２４１】
また、破断ネジ４３９における頭部４９１を少なくともドライバによって操作される側から覆う壁である端面部を有するとともに前記分離部６１３が通過し得ずドライバを挿通し得る操作孔６２２を有する規制手段として収容部材６２１を備え、磁界発生部６２６は、分離した後の分離部６１３を、破断ネジ４３９の頭部本体６１４と収容部材６２１の操作孔６２２との間の位置に保持するので、分離した後の分離部６１３が、収容部材６２１により覆われた状態となり且つ磁界発生部６２６による磁力をも受けるため、より確実に保持されて脱落防止効果がより良好となっている。
また、分離部６１３が分離した後の破断ネジ４３９の頭部４９１における残留部分である頭部本体６１４は、前述の通り、ドライバによっては逆回しして緩めることができないが、仮に、該頭部本体６１４が外部に開放されているとすると、該頭部本体６１４に例えば外部から棒状の不正具を接着剤で接合して逆回しするといった強引な方法によって不正に連結状態を解除される場合もあり得る。ところが、本実施形態のパチンコ機１０においては、分離した後の分離部６１３が磁界発生部６２６により頭部本体６１４と操作孔６２２との間の位置に保持されるので、該分離部６１３が障害となって外部から不正具を頭部本体６１４に届かせることができず、したがって不正に連結状態を解除されることがより確実に防止される構成となっている。
【０２４２】
また、収容部材６２１が、破断ネジ４３９の頭部６１３の周囲を包囲するとともに端面に前記操作孔６２２が形成された筒状体となっているので、分離した後の分離部６１３が周囲からも包囲されるようにして保持され、したがってさらに確実に保持されて脱落防止効果がより良好となっている。
また、頭部本体６１４も、周囲からも包囲されるようになっているので、外部からの不正な操作が及ぶことがさらに困難となっている。
【０２４３】
また、収容部材６２１が、破断ネジ４３９の分離部６１３の外径の２倍以下の内径を有する円筒状体となっている。規制手段が、仮に、破断ネジ４３９の分離部６１３の外径の２倍を超える内径を有する円筒状体であったとすると、該分離部６１３がこの円筒状の規制手段の内部で偏って位置した場合に、頭部本体６１４の位置から側方に大きくずれて位置することとなり、したがってもはや十分に障害として機能しなくなって、例えば操作孔から頭部本体６１４に不正具を容易に近づけることが可能となってしまう。これに対し、本実施形態のパチンコ機１０においては、規制手段である収容部材６２１が、破断ネジ４３９の分離部６１３の外径の２倍以下の内径を有する円筒状体となっているので、該分離部６１３が収容部材６２１の内部で偏って位置したとしても、頭部本体６１４の位置から側方に大きくずれることはなく、十分に障害として機能し得る範囲内に留まるため、操作孔６２２から頭部本体６１４に不正具を近づけることは困難となっている。また、収容部材６２１が円筒状体となっているため、製造しやすく大量生産にも好適なものとなっている。
【０２４４】
また、収容部材６２１が、破断ネジ４３９の分離部６１３の外径よりも大きい内径を有する円筒状体となっており、磁界発生部６２６が、分離した後の分離部６１３を、頭部本体６１４の中心に対し偏心させた状態に保持するようになっている。規制手段が、仮に、破断ネジ４３９の分離部６１３の外径にほぼ等しい内径を有する円筒状体であったとすると、該分離部６１３が分離した後もこの円筒状の規制手段の内部で頭部本体６１４の中心に対して中心がほぼ揃った同心状態に保持されることとなる。この同心状態では、例えば、操作孔からドライバを挿入し分離部６１３を頭部本体６１４に強く圧しつけるようにしながら逆回しすると、破断面同士の間に摩擦力が働き、分離部６１３とともに頭部本体６１４も回転してしまう場合がある。これに対し、本実施形態のパチンコ機１０においては、分離部６１３が頭部本体６１４の中心に対し偏心させた状態に保持されるため、いくら分離部６１３を頭部本体６１４に強く圧しつけるようにしながら逆回ししたとしても、頭部本体６１４を回転させることは困難となっている。
【０２４５】
また、収容部材６２１が、破断ネジ４３９の分離部６１３の外径よりも大きい内径を有する円筒状体となっており、磁界発生部６２６が、分離した後の分離部６１３を、頭部本体６１４に対し傾斜した体勢に保持するようになっているので、たとえ分離部６１３を回転させたとしても、これにともなって頭部本体６１４を回転させることは困難であるため、外部から頭部本体６１４を回転させることがより困難となっている。
【０２４６】
また、磁界発生部６２６が、分離した後の分離部６１３を、操作孔６２２に嵌合した体勢に保持するようになっているので、分離した後の分離部６１３によって操作孔６２２が閉塞された状態に保持されるため、該分離部６１３が確実に障害として機能することができ、操作孔６２２から頭部本体６１４に不正具を近づけることが効果的に防止されるようになっている。
【０２４７】
また、破断ネジ４３９の頭部本体６１４が、径方向に延出する鍔部６１７を有し、収容部材６２１が、筒状体の操作孔６２２形成側と反対側における周壁の端縁から、筒状体の中心にむけて内側へ延出し、中心部に鍔部６１７の外径より小さい孔径を有する挿通孔６２７が形成された掛合リブ６２８を有するので、破断ネジ４３９の鍔部６１７が収容部材６２１の掛合リブ６２８に掛合することによって、破断ネジ４３９が収容部材６２１の内部から脱落しないように確実に保持されるようになっている。
【０２４８】
また、掛合リブ６２８の挿通孔６２７が、破断ネジ４３９の頭部本体６１４の外径より大きい孔径を有し、鍔部６１７が、破断ネジ４３９の頭部本体６１４における軸部４９２側端から、掛合リブ６２８の厚さｔ１０より大きい間隔ｄ１０をおいた位置に形成されているので、掛合リブ６２８が、破断ネジ４３９の頭部本体６１４における軸部４９２側端と鍔部６１７との間に、多少の余裕（ｄ１０−ｔ１０）をもって掛合することとなり、したがって、破断ネジ４３９を締結した状態でも、収容部材６２１が破断ネジ４３９に対して自由に回転すること、即ち自在に空転（空回り）することが可能な状態に保持されるため、破断ネジ４３９を外部から逆回しすることが確実に防止されるようになっている。仮に、上記のような余裕がない（ｄ１０＝ｔ１０）とすると、収容部材６２１を回転させると破断ネジ４３９に対して空転せずに該破断ネジ４３９をともに回転させ、その結果、外部から収容部材６２１を回転させることで破断ネジ４３９を緩めることが可能となってしまうこともあるが、本実施形態のパチンコ機１０においては、上述の通り、余裕（ｄ１０−ｔ１０）を設けることにより収容部材６２１が空転し得る構成となっているので、外部から破断ネジ４３９を緩めることが困難となっている。
【０２４９】
また、掛合リブ６２８が、収容部材６２１における周壁の端縁部に薄肉部６２５を形成し、収容部材６２１の内部に破断ネジ４３９の頭部６１３を収容した後に該薄肉部６２５を内側に折曲するように変形加工することにより形成されているので、収容部材６２１をプレスすることにより容易に掛合リブ６２８を形成することができるようになっている。仮に、収容部材に上記のような薄肉部が形成されず周壁の肉厚が均一であったとすると、プレスすると該周壁の全体に圧が加わって膨れや変形が生じやすい。
【０２５０】
また、破断ネジ４３９のネジ山６１９に切欠６２０が形成されているので、螺入対象部である第１取付台座封止部４５０および第２取付台座封止部４３２の構成材料である樹脂を切欠６２０に食い込ませるようにしながら破断ネジ４３９を螺入することができ、したがって破断ネジ４３９のゆるみ止め効果がより良好となっている。
【０２５１】
（変更態様）
前記実施形態のパチンコ機１０には、様々な変更を加えることが可能である。
（１）例えば、前記実施形態においては、分離した後の分離部６１３が規制手段である収容部材６２１により覆われるようになっていたが、このような規制手段を設けない構成としてもよい。
【０２５２】
図３３は、規制手段を省略した構成の一例を示す斜視図である。同図に示す例では、互いに連結される第１構成部材６３１および第２構成部材６３２にそれぞれ直方体状の第１封止部６３３および第２封止部６３４が突設され、磁気手段として、コ字状に折り返した形状に成形されてクリップ状に構成された永久磁石よりなる磁界発生片６３５が、第１封止部６３３の周壁に着脱可能に嵌着されるようになっている。第１封止部６３３から破断ネジ６３６を螺入して第１封止部６３３と第２封止部６３４とを連結し、該破断ネジ６３６の分離部６３７を頭部本体６３８から分離させると、該分離部６３７が磁界発生片６３５に吸引されて第１封止部６３３内に保持されることとなる。したがって、この構成によっても、分離した分離部６３７がゴミとならず、処理する手間を省くことができるとともに、遊技機内の隙間から入り込むこともないため、不具合が生じることも防止することができる。
【０２５３】
上記図３３に示す構成の場合、分離した後の分離部６３７が、前記実施形態における収容部材６２１のような規制手段により機械的に保持されることはなく、磁気手段である磁界発生片６３５により磁気的に保持されることのみによって第１封止部６３３内に保持される構成となっているので、破断ネジ６３６は、規制手段が省略され、またこれにともない前記実施形態の場合のような鍔部も形成されておらず、したがってそのぶん簡略な構成となっている。
【０２５４】
またこの場合、分離した破断ネジ６３６の分離部６３７を出荷時以降も磁界発生片６３５により保持した状態で第１封止部６３３内に保持しておくようにしてもよく、これによっても、通常は分離部６３７が脱落することもなく問題も生じないと考えられるが、あるいは、破断ネジ６３６の分離部６３７を分離させた後の任意の段階、例えば、遊技機の製造工程が完了して出荷する前の段階で、分離部６３７を第１封止部６３３内から取り外して遊技機から除去するようにしてもよい。これによれば、例えば搬送中やホールでの設置作業時あるいは設置後などのいずれかの時点で、外部からの接触や機械的衝撃といった何らかの偶発的な要因により該分離部６３７が磁界発生片６３５から脱離し、遊技機内外で散乱してゴミとなったり、遊技機内の隙間から入り込んで不具合が生じたりするといった事態を確実に防止することができる。
【０２５５】
さらにこのとき、分離部６３７を取り外す際に、磁界発生片６３５ごと取り外すようにしてもよく、これによればより容易に分離部６３７を除去することができるとともに、磁界発生片６３５を再利用することもできる。
【０２５６】
（２）また、前記実施形態の破断ネジ４３９は、冷間圧造用炭素鋼線（ＳＷＣＨ）を加工して得られたものとなっていたが、破断ネジの構成材料としては、磁気手段の磁力により吸引されまたは反発し得る磁性体であれば任意のものが使用できる。なかでも、鉄、コバルト、ニッケル等の金属またはこれらの合金、各種のフェライト（３価の鉄イオンを含む複合酸化物）といった強磁性体が好適なものとして挙げられる。
【０２５７】
（３）また、磁気手段としては、破断ネジ６３６の分離部を磁力により吸引または反発して保持しておくことが可能なものであれば任意のものが使用でき、前記磁界発生部６２６や磁界発生片６３５のような永久磁石を用いたもの以外にも、電磁石を用いてもよい。さらに、永久磁石としても、アルニコ磁石、フェライト磁石、ネオジム磁石等の各種の磁石がいずれも使用できる。
【０２５８】
また、前記実施形態においては、磁界発生部６２６が破断ネジ６３６の分離部を磁力により吸引して保持する構成としていたが、磁気手段としては、破断ネジの分離部を磁力により反発して保持する構成としてもよい。例えば、磁気手段に対向する位置に適宜な受容面を設けておき、破断ネジの分離部に磁気手段の磁力により反発力を及ぼして該分離部を受容面上に押さえつけるようにして保持する構成とすることもできる。上記受容面は、例えば破断ネジの締結位置の近傍に突起等の適宜な構造体を新たに形成することにより設けるようにしてもよいが、破断ネジの締結位置の近傍に既存の構成部材の一部が位置する場合にはこれを受容面として利用するようにしてもよく、例えば、前記実施形態における収容部材６２１のように破断ネジの分離部を包囲する収容部材を設ける場合、あるいはこのような収容部材を設けない場合でも前記実施形態における第２取付台座封止部４３２のように破断ネジを包囲する封止部を設ける場合には、この収容部材や封止部の内面を受容面とすることができる。
【０２５９】
（４）また、破断ネジ自体を永久磁石よりなるものとし、破断ネジの頭部が破断されることにより該破断ネジの頭部本体と分離部とが分離された場合に、該頭部本体が磁気手段として機能する構成としてもよい。これによれば、破断ネジを永久磁石として成形することにより分離部が分離したとき頭部本体および分離部がそれぞれ別個に永久磁石として機能することとなるため、例えばその分離の瞬間に頭部本体および分離部の各破断面が引き付け合う（吸引し合う）ように構成することができる。したがって、別体としての磁気手段は省略することもでき、構成を簡略化することができる。
【０２６０】
なお、不正対策を考慮しない場合においては、規制手段（収容部材）の構成を省略してもよい。
【０２６１】
上記のように永久磁石よりなる破断ネジは、例えばフェライト磁石よりなるものとする場合、以下のイ）〜ヘ）のような工程に従って作製することができる。
【０２６２】
イ）酸化鉄にバリウムやストロンチウム等を加えて熱処理する（焼き固める）。
ロ）μｍレベルの粒子に粉砕する。
ハ）頭部と、これより細径の軸部とを有する形状に成形する（型に入れて加圧する）。このとき、ネジ穴やナールも同時に形成する。
ニ）頭部に細径部を切削により形成し、軸部にネジ山を切削により形成する。
ホ）焼結する。
ヘ）電磁石により着磁する。
【０２６３】
（５）また、前記実施形態においては、収容部材６２１におけるフランジ部収容腔６２３の内周面上の１箇所に磁気手段として磁界発生部６２６が設けられているが、例えば、収容部材の全体を永久磁石で構成して、該収容部材自体を磁気手段としても機能し得る構成としてもよく、これによれば構成をより簡略化できる。ただし、分離した破断ネジの分離部を偏心ないし傾斜した体勢に保持できる点からすれば、前記実施形態におけるように収容部材に部分的に磁気手段を設けることが望ましい。
【０２６４】
（６）また、前記実施形態においては、磁界発生部６２６と封印シール６０１とが、第１制御基板ボックス２０１Ａにおいて相対向する互いに離れた左右両端縁部にそれぞれ配置されているが、磁界発生部と封印シールとの配置はこれ以外にも、例えば図３４に示すような配置も可能である。同図に示す例では、基板ボックス２１１の一側部分（左側部分）Ｒ１１に前記実施形態の場合と同様の封止部６４１が形成され、該封止部６４１に、前記実施形態の場合と同様に磁界発生部を備える収容部材が嵌着された破断ネジ（図示せず）が用いられ、他側部分（右側部分）Ｒ１２にシール６４０が貼付されている。このシール６４０の貼付位置は、上記基板ボックス２１１の他側部分（右側部分）Ｒ１２内に位置する上端縁上の右端近傍となっている。このように、磁界発生部と封印シールとの設置位置は、基板ボックスのいずれかの端縁の中央部以外にも、基板ボックスのいずれかの隅部としてもよい。
【０２６５】
（７）また、前記実施形態においては、第１制御基板ボックス２０１Ａの長さ方向における中央部に対応する位置に始動口３３に対応する入賞装置（始動入賞装置）の入球検出センサが配置され、上記第１制御基板ボックス２０１Ａの長さ方向における端部である連結取付台座部材４３０との連結部分に磁界発生部６２６が配置されているが、例えば、基板ボックスの長さ方向における中央部より一方側に位置する部位に対応する前方位置に所定の入球口の入球検出センサが配置される場合には、基板ボックスの長さ方向における他方の端部に磁気手段を配置するようにすることが望ましく、この構成によっても、基板ボックスの長さ方向において入球検出センサからできる限り離れた位置となる端部に磁気手段が配置されることとなり、所定の入球口の入球検出センサと磁気手段とが大きく離隔することとなって磁気手段の磁力による影響が該入球検出センサに及び難くなる。
【０２６６】
（８）また、前記実施形態においては、第１制御基板ボックス２０１Ａと連結取付台座部材４３０とが破断ネジ４３９を用いて連結封止され、さらに加えて、カバー部材５０１と球集合板４６０とが同様の破断ネジ５２２を用いて連結封止されているが、破断ネジはこれ以外にも、遊技機を構成する任意の部材の連結部に使用することができる。
【０２６７】
なかでも、
・主制御基板ボックスを構成する第１ケースと第２ケースとの連結部、
・払出基板ボックスと連結取付台座部材との連結部、
・払出基板ボックスを構成する第１ケースと第２ケースとの連結部、
・取付台座部材と球集合板との連結部、
・払出機構部の取付部、
・始動口に対応する入賞装置の入球検出センサや大入賞口に対応する入賞装置の入球検出センサおよびソレノイドと主制御基板とを中継する中継基板の取付部、
等が例示され、これらはいずれも不正対象となりやすく、したがって破断ネジを使用することが特に望ましい。
【０２６８】
上記払出機構部は、払出モータ等が設けられており、該払出モータを制御する基板に不正な改変を加え、該払出モータを余分に駆動して賞球を過多に払い出させるといった不正行為がなされやすいため、該払出モータを収容するボックス（ないしカバー部材）の取付等に破断ネジが好適に使用される。また、上記中継基板は、例えば前記実施形態におけるように、球集合板（に形成された台座）等に載置してネジ止めにより固定されるが、特にこの中継基板は配線も多く、不正行為がなされても露見し難いため、例えば球集合板（ないし台座）との間に擬似主基板等を隠すように設置するといった不正がなされやすく、したがって破断ネジを用いてこの中継基板を固定することにより容易に不正対策を施すことができる。
【０２６９】
（９）また、前記実施形態においては、破断ネジ４３９の分離した分離部６１３が、磁気手段としての磁界発生部６２６により所定箇所に保持され、かつ、規制手段としての収容部材６２１により覆われる構成となっていたが、これにかえて、磁気手段を設けず、破断ネジの分離部が、磁力と関係なく規制手段により機械的に所定箇所に保持される構成としてもよい。例えば、前記実施形態の収容部材６２１において磁界発生部６２６を設けないようにすることによって、このような構成とすることができる。
【０２７０】
（１０）また、前記実施形態においては、パチンコ機１０が例示されていたが、遊技機としては、パチンコ機以外にも、スロット機、パチンコ機とスロット機を融合させた遊技機も例示される。
【０２７１】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【０２７２】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【産業上の利用可能性】
【０２７３】
本発明は、制御基板を収容する基板ボックスを備える遊技機であれば広汎に実施することが可能である。
【図面の簡単な説明】
【０２７４】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機の外枠から内枠を開き、内枠からセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ボックスを連結取付台座部材から外した状態の斜視図である。
【図１０】本発明にかかる遊技機の一例であるパチンコ機の遊技盤の裏面の第１基板ボックスを連結取付台座部材ごと外した状態の右側面図である。
【図１１】本発明にかかる遊技機の一例であるパチンコ機の遊技盤の裏面の第１基板ボックスを連結取付台座部材から外し、連結取付台座部材を開放した状態の斜視図である。
【図１２】本発明にかかる遊技機の一例であるパチンコ機の遊技盤の裏面の第１基板ボックスおよび連結取付台座部材をそれぞれ外した状態の斜視図である。
【図１３】本発明にかかる遊技機の一例であるパチンコ機の遊技盤の裏面の第１基板ボックスを開放した状態の斜視図である。
【図１４】本発明にかかる遊技機の一例であるパチンコ機の遊技盤の裏面の第１基板ボックスを外し、カバー部材を開放した状態の斜視図である。
【図１５】本発明にかかる遊技機の一例であるパチンコ機の遊技盤の裏面の第１基板ボックス、連結取付台座部材、カバー部材および球集合板を外して分解した状態の斜視図である。
【図１６】本発明にかかる遊技機の一例であるパチンコ機の遊技盤の裏面の第１基板ボックスおよび連結取付台座部材を外して分解した状態の斜視図である。
【図１７】本発明にかかる遊技機の一例であるパチンコ機の第１基板ボックスに連結台座部材を取り付けた状態の斜視図である。
【図１８】本発明にかかる遊技機の一例であるパチンコ機の遊技盤から球集合板、開閉機構、連結取付台座部材を取り付けた第１基板ボックスを分離した状態の分解斜視図である。
【図１９】カバー部材の封止構造を示す拡大図である。
【図２０】本発明にかかる遊技機の一例であるパチンコ機の遊技盤の裏面の第１基板ボックスを連結取付台座部材ごと外し、さらにカバー部材ごと球集合板を外した状態の斜視図である。
【図２１】本発明にかかる遊技機の一例であるパチンコ機の遊技盤の裏面の第１基板ボックスおよびカバー部材を取り付けた球集合板を外した状態の斜視図である。
【図２２】本発明にかかる遊技機の一例であるパチンコ機の遊技盤の裏面の斜視図である。
【図２３】本発明にかかる遊技機の一例であるパチンコ機の遊技盤の裏面に、別の実施態様にかかるカバー部材を設け、第１基板ボックスおよび連結取付台座部材をそれぞれ外し、カバー部材を開放した状態の斜視図である。
【図２４】第１制御基板ボックスを封印シールを貼付することにより封印した状態の部分拡大斜視図である。
【図２５】封印シールの断面図である。
【図２６】封印シールの正面図である。
【図２７】封印シールの背面図である。
【図２８】破断ネジおよび収容部材の分解正面図である。
【図２９】図２８のＸ１部拡大図である。
【図３０】（ａ）螺入（締結）操作中および（ｂ）螺入（締結）操作後における破断ネジおよび螺入対象部の状況を示す断面図である。
【図３１】破断ネジの分離部と収容部材との相対位置を説明する模式図である。
【図３２】破断ネジを作製する工程の一例を示す模式図である。
【図３３】破断ネジ、磁気手段および螺入対象部の他の例を示す斜視図である。
【図３４】磁界発生部と封印シールとの配置の他の例を示す模式図である。
【符号の説明】
【０２７５】
４３９：破断ネジ
６１３：分離部
６２１：収容部材（遊技機の所定箇所）
６２６：磁界発生部（磁気手段）
４５０：第１取付台座封止部（構成部材）
４３２：第２取付台座封止部（構成部材）
ＤＲ１：ドライバ（操作器具）
【図３２】
2010042051.tif 000003
【図１】
2010042051.tif 000004
【図２】
2010042051.tif 000005
【図３】
2010042051.tif 000006
【図４】
2010042051.tif 000007
【図５】
2010042051.tif 000008
【図６】
2010042051.tif 000009
【図７】
2010042051.tif 000010
【図８】
2010042051.tif 000011
【図９】
2010042051.tif 000012
【図１０】
2010042051.tif 000013
【図１１】
2010042051.tif 000014
【図１２】
2010042051.tif 000015
【図１３】
2010042051.tif 000016
【図１４】
2010042051.tif 000017
【図１５】
2010042051.tif 000018
【図１６】
2010042051.tif 000019
【図１７】
2010042051.tif 000020
【図１８】
2010042051.tif 000021
【図１９】
2010042051.tif 000022
【図２０】
2010042051.tif 000023
【図２１】
2010042051.tif 000024
【図２２】
2010042051.tif 000025
【図２３】
2010042051.tif 000026
【図２４】
2010042051.tif 000027
【図２５】
2010042051.tif 000028
【図２６】
2010042051.tif 000029
【図２７】
2010042051.tif 000030
【図２８】
2010042051.tif 000031
【図２９】
2010042051.tif 000032
【図３０】
2010042051.tif 000033
【図３１】
2010042051.tif 000034
【図３３】
2010042051.tif 000035
【図３４】
2010042051.tif 000036